(57)【要約】  送信電力増加部は、移動通信端末に対して該移動通信端末の送信電力を予め定められた量で増加させる送信電力増加要求を予め定められた間隔で継続して試験装置から送信する。ブロックサイズ抽出部は、前記送信電力増加要求の送信毎に前記移動通信端末からの前記複数の物理チャネルを受信して第１の物理チャネルに設定された最大送信電力に対応して定まる送信可能なデータのブロックサイズを示すブロックサイズ情報を予め定められた第２の物理チャネルから抽出する。記憶部は、前記ブロックサイズ抽出部で抽出されたブロックサイズ情報を少なくとも１回分記憶する。最大出力電力状態決定部は、前記ブロックサイズ抽出部で新たに抽出されたブロックサイズ情報の値と前記記憶部で記憶された直前のブロックサイズ情報の値とを比較し、前記新たに抽出されたブロックサイズ情報の値が前記記憶部で記憶された直前のブロックサイズ情報の値より減少した場合に、前記送信電力増加部での前記送信電力増加要求の送信を停止させると共に、前記移動通信端末の送信電力を予め定められた量で減少させる送信電力減少要求を前記移動通信端末に送信する。
2008053845.tif 000002
【特許請求の範囲】
【請求項１】
複数の物理チャネルの情報を符号分割多重接続を用いて基地局と情報交換を行う移動通信端末から出力される前記複数の物理チャネルそれぞれの送信電力の合計電力を予め定められた最大出力電力を超えないように予め定められた特定の物理チャネルで送信可能なデータのブロックサイズを調整することにより制御する通信方式における、前記移動通信端末からの送信電力の出力状態を前記最大出力電力となるように、当該移動通信端末に前記基地局に代えて接続された試験装置で設定する移動通信端末の送信電力制御方法であって、
前記移動通信端末から前記試験装置へ送信される前記複数の物理チャネルの種類を前記試験装置から前記移動通信端末に送信設定する使用チャネル設定段階と、
前記移動通信端末から送信される前記複数の物理チャネルのうち、予め定められた第１の物理チャネルの送信可能な最大送信電力を前記試験装置から前記移動通信端末に送信設定し、且つ前記移動通信端末から送信される前記複数の物理チャネルのうち前記第１の物理チャネル以外の各物理チャネル間の送信電力の比率を前記試験装置から前記移動通信端末に送信設定する送信電力比設定段階と、
前記試験装置において、前記試験装置と前記移動通信端末との間の通信を確立すると共に、前記移動通信端末に対し予め定められている最大でない送信電力状態になるように送信電力を前記試験装置から前記移動通信端末に送信設定する通信確立段階と、
前記移動通信端末に対して該移動通信端末の送信電力を前記最大でない送信電力状態から予め定められた量で増加させる送信電力増加要求を予め定められた間隔で継続して前記試験装置から送信する送信電力増加段階と、
前記送信電力増加段階の前記予め定められた間隔での前記送信電力増加要求の送信毎に対する前記移動通信端末からの前記複数の物理チャネルを前記試験装置で受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階と、
前記試験装置において、前記ブロックサイズ抽出段階で抽出されたブロックサイズ情報を少なくとも１回分記憶する記憶段階と、
前記試験装置において、前記ブロックサイズ抽出段階で新たに抽出されたブロックサイズ情報の値と前記記憶段階で記憶された直前のブロックサイズ情報の値とを比較し、前記新たに抽出されたブロックサイズ情報の値が前記記憶段階で記憶された直前のブロックサイズ情報の値より減少した場合に、前記送信電力増加段階での前記送信電力増加要求の送信を停止させると共に、前記移動通信端末の送信電力を予め定められた量で減少させる送信電力減少要求を前記移動通信端末に送信する最大出力電力状態決定段階と
を含むことを特徴とする移動通信端末の送信電力制御方法。
【請求項２】
前記ブロックサイズ抽出段階は、
前記予め定められた間隔で継続して送信される各送信電力増加要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出段階と、
前記予備抽出段階で抽出されたそれぞれのブロックサイズ情報の全数と、それに対する前記第１の基準値と等しい値であるブロックサイズ情報の個数との比率を算出する比率算出段階と、
前記比率算出段階で算出された比率が、予め設定した第１のしきい値より大きいときに前記第１の基準値を前記送信電力増加要求に対する抽出されたブロックサイズ情報として決定すると共に、前記比率算出段階で算出された比率が前記第１のしきい値以下のときに前記第２の基準値を前記送信電力増加要求に対する抽出されたブロックサイズ情報として決定する決定段階とを有する
ことを特徴とする請求項１記載の移動通信端末の送信電力制御方法。
【請求項３】
前記ブロックサイズ抽出段階は、
前記予め定められた間隔で継続して送信される各送信電力増加要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出段階と、
前記予備抽出段階で抽出されたそれぞれのブロックサイズ情報の全数と、前記第１の基準値と等しい値及び該第１の基準値に対して予め定めた数値幅以内の値であるブロックサイズ情報の個数との比率を算出する比率算出段階と、
前記比率算出段階で算出された比率が、予め設定した第１のしきい値より大きいときに前記第１の基準値を前記送信電力増加要求に対する抽出されたブロックサイズ情報として決定すると共に、前記比率算出段階で算出された比率が前記第１のしきい値以下のときに前記第２の基準値を前記送信電力増加要求に対する抽出されたブロックサイズ情報として決定する決定段階とを有する
ことを特徴とする請求項１記載の移動通信端末の送信電力制御方法。
【請求項４】
前記最大出力電力状態決定段階は、前記新たに抽出されたブロックサイズ情報の値が前記記憶段階で記憶された直前のブロックサイズ情報の値と比較して予め定められた第２のしきい値よりも大きく減少した場合に、前記送信電力増加段階での前記送信電力増加要求の送信を停止させると共に、前記移動通信端末の送信電力を予め定められた量で減少させる前記送信電力減少要求を前記移動通信端末に送信することを特徴とする請求項１記載の移動通信端末の送信電力制御方法。
【請求項５】
複数の物理チャネルの情報を符号分割多重接続を用いて基地局と情報交換を行う移動通信端末から出力される前記複数の物理チャネルそれぞれの送信電力の合計電力を予め定められた最大出力電力を超えないように予め定められた特定の物理チャネルで送信可能なデータのブロックサイズを調整することにより制御する通信方式における、前記移動通信端末からの送信電力の出力状態を前記最大出力電力となるように、当該移動通信端末に前記基地局に代えて接続された試験装置で設定する移動通信端末の送信電力制御方法であって、
前記移動通信端末から前記試験装置へ送信される前記複数の物理チャネルの種類を前記試験装置から前記移動通信端末に送信設定する使用チャネル設定段階と、
前記移動通信端末から送信される前記複数の物理チャネルのうち、予め定められた第１の物理チャネルの送信可能な最大送信電力を前記試験装置から前記移動通信端末に送信設定し、且つ前記移動通信端末から送信される前記複数の物理チャネルのうち前記第１の物理チャネル以外の各物理チャネル間の送信電力の比率を前記試験装置から前記移動通信端末に送信設定する送信電力比設定段階と、
前記試験装置において、前記試験装置と前記移動通信端末との間の通信を確立する通信確立段階と、
前記送信電力の合計電力が予め定められた最大出力電力に達した状態で、前記各物理チャネルの送信電力に対して調整が行われている過大調整状態に初期設定する過大調整状態設定段階と、
前記移動通信端末に対して該移動通信端末の送信電力を前記過大調整状態から予め定められた量で減少させる送信電力減少要求を予め定められた間隔で継続して前記試験装置から送信する送信電力減少段階と、
前記送信電力減少段階の前記予め定められた間隔での前記送信電力減少要求の送信毎に対する前記移動通信端末からの前記複数の物理チャネルを前記試験装置で受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階と、
前記試験装置において、前記ブロックサイズ抽出段階で抽出されたブロックサイズ情報を少なくとも１回分記憶する記憶段階と、
前記試験装置において、前記ブロックサイズ抽出段階で新たに抽出されたブロックサイズ情報の値が予め設定された設定値を越えたか否かを判定するブロックサイズ情報判定段階と、
前記試験装置において、前記ブロックサイズ情報判定段階で前記新たに抽出されたブロックサイズ情報の値が前記予め設定された設定値を越えた場合に、前記新たに抽出されたブロックサイズ情報の値と前記記憶段階で記憶された直前のブロックサイズ情報の値とを比較し、前記新たに抽出されたブロックサイズ情報の値が前記記憶段階で記憶された直前のブロックサイズ情報の値に等しくなった場合に、前記送信電力減少段階での前記送信電力減少要求の送信を停止させると共に、前記移動通信端末の送信電力を予め定められた量で増加させる送信電力増加要求を前記移動通信端末１１に送信する最大出力電力状態決定段階と
を含むことを特徴とする移動通信端末の送信電力制御方法。
【請求項６】
前記ブロックサイズ抽出段階は、
前記予め定められた間隔で継続して送信される各送信電力減少要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出段階と、
前記予備抽出段階で抽出されたそれぞれのブロックサイズ情報の全数と、それに対する前記第２の基準値と等しい値であるブロックサイズ情報の個数との比率を算出する比率算出段階と、
前記比率算出段階で算出された比率が、予め設定した第１のしきい値より大きいときに前記第２の基準値を前記送信電力減少要求に対する抽出されたブロックサイズ情報として決定すると共に、前記比率算出段階で算出された比率が前記第１のしきい値以下のときに前記第１の基準値を前記送信電力減少要求に対する抽出されたブロックサイズ情報として決定する決定段階とを有する
ことを特徴とする請求項５記載の移動通信端末の送信電力制御方法。
【請求項７】
前記ブロックサイズ抽出段階は、
前記予め定められた間隔で継続して送信される各送信電力減少要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出段階と、
前記予備抽出段階で抽出されたそれぞれのブロックサイズ情報の全数と、前記第２の基準値と等しい値及び該第２の基準値に対して予め定めた数値幅以内の値であるブロックサイズ情報の個数との比率を算出する比率算出段階と、
前記比率算出段階で算出された比率が、予め設定した第１のしきい値より大きいときに前記第２の基準値を前記送信電力減少要求に対する抽出されたブロックサイズ情報として決定すると共に、前記比率算出段階で算出された比率が前記第１のしきい値以下のときに前記第１の基準値を前記送信電力減少要求に対する抽出されたブロックサイズ情報として決定する決定段階とを有する
ことを特徴とする請求項５記載の移動通信端末の送信電力制御方法。
【請求項８】
前記最大出力電力状態決定段階は、前記新たに抽出されたブロックサイズ情報の値が前記記憶段階で記憶された直前のブロックサイズ情報の値と予め定められた第２のしきい値との範囲内にある場合に、前記送信電力減少段階での前記送信電力減少要求の送信を停止させると共に、前記移動通信端末の送信電力を予め定められた量で増加させる送信電力増加要求を前記移動通信端末に送信することを特徴とする請求項５記載の移動通信端末の送信電力制御方法。
【請求項９】
前記通信方式は、Ｗ−ＣＤＭＡであることを特徴とする請求項１乃至８のいずれか一つに記載の移動通信端末の送信電力制御方法。
【請求項１０】
前記移動通信端末からから出力される前記複数の物理チャネルは、少なくともＤＰＣＣＨ、Ｅ−ＤＰＣＣＨ、Ｅ−ＤＰＤＣＨを含むことを特徴とする請求項９記載の移動通信端末の送信電力制御方法。
【請求項１１】
前記第１の物理チャネルは前記Ｅ−ＤＰＤＣＨであり、前記第２の物理チャネルは前記Ｅ−ＤＰＣＣＨであることを特徴とする請求項１０記載の移動通信端末の送信電力制御方法。
【請求項１２】
前記ブロックサイズ情報は、前記Ｅ−ＤＰＣＣＨに含まれるＥ−ＴＦＣＩ（転送量情報）であることを特徴とする請求項１０記載の移動通信端末の送信電力制御方法。
【請求項１３】
前記送信電力増加要求と前記送信電力減少要求とは、前記試験装置から前記移動通信端末に送信するダウンリンクのＤＰＣＣＨ又はダウンリンクのＦ−ＤＰＣＨに含まれるＴＰＣビットで指示されることを特徴とする請求項１０記載の移動通信端末の送信電力制御方法。
【請求項１４】
複数の物理チャネルの情報を符号分割多重接続を用いて基地局と情報交換を行う移動通信端末から出力される前記複数の物理チャネルそれぞれの送信電力の合計電力を予め定められた最大出力電力を超えないように予め定められた特定の物理チャネルで送信可能なデータのブロックサイズを調整することにより制御する通信方式における、前記移動通信端末からの送信電力の出力状態を前記最大出力電力となるように、当該移動通信端末に前記基地局に代えて接続された試験装置で設定する移動通信端末の送信電力制御装置であって、
前記移動通信端末から前記試験装置へ送信される前記複数の物理チャネルの種類を前記試験装置から前記移動通信端末に送信設定する使用チャネル設定部と、
前記移動通信端末から送信される前記複数の物理チャネルのうち、予め定められた第１の物理チャネルで送信可能な最大送信電力を前記試験装置から前記移動通信端末に送信設定する最大送信電力設定部と、
前記移動通信端末から送信される前記複数の物理チャネルのうち前記第１の物理チャネル以外の各物理チャネル間の送信電力の比率を前記試験装置から前記移動通信端末に送信設定する送信電力比設定部と、
前記試験装置と前記移動通信端末との間の通信を確立すると共に、前記移動通信端末に対し予め定められている最大でない送信電力状態になるように送信電力を前記試験装置から前記移動通信端末に送信設定する通信確立部と、
前記移動通信端末に対して該移動通信端末の送信電力を前記最大でない送信電力状態から予め定められた量で増加させる送信電力増加要求を予め定められた間隔で継続して前記試験装置から送信する送信電力増加部と、
前記送信電力増加部の前記予め定められた間隔での前記送信電力増加要求の送信毎に対する前記移動通信端末からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部と、
前記ブロックサイズ抽出部で抽出されたブロックサイズ情報を少なくとも１回分記憶する記憶部と、
前記ブロックサイズ抽出部で新たに抽出されたブロックサイズ情報の値と前記記憶部で記憶された直前のブロックサイズ情報の値とを比較し、前記新たに抽出されたブロックサイズ情報の値が前記記憶部で記憶された直前のブロックサイズ情報の値より減少した場合に、前記送信電力増加部での前記送信電力増加要求の送信を停止させると共に、前記移動通信端末の送信電力を予め定められた量で減少させる送信電力減少要求を前記移動通信端末に送信する最大出力電力状態決定部と
を備えたことを特徴とする移動通信端末の送信電力制御装置。
【請求項１５】
前記ブロックサイズ抽出部は、
前記予め定められた間隔で継続して送信される各送信電力増加要求の送信間隔内において、前記第２の物理チャネルを含む複数の物理チャネルを複数回受信する受信部と、
前記受信部で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出部と、
前記予備抽出部で抽出されたそれぞれのブロックサイズ情報の全数と、それに対する前記第１の基準値と等しい値であるブロックサイズ情報の個数との比率を算出する比率算出部と、
前記比率算出部で算出された比率が、予め設定した第１のしきい値より大きいときに前記第１の基準値を前記送信電力増加要求に対する抽出されたブロックサイズ情報として決定すると共に、前記比率算出部で算出された比率が前記第１のしきい値以下のときに前記第２の基準値を前記送信電力増加要求に対する抽出されたブロックサイズ情報として決定する決定部とを有する
ことを特徴とする請求項１４に記載の移動通信端末の送信電力制御装置。
【請求項１６】
前記ブロックサイズ抽出部は、
前記予め定められた間隔で継続して送信される各送信電力増加要求の送信間隔内において、前記第２の物理チャネルを含む複数の物理チャネルを複数回受信する受信部と、
前記受信部で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出部と、
前記予備抽出部で抽出されたそれぞれのブロックサイズ情報の全数と、前記第１の基準値と等しい値及び該第１の基準値に対して予め定めた数値幅以内の値であるブロックサイズ情報の個数との比率を算出する比率算出部と、
前記比率算出部で算出された比率が、予め設定した第１のしきい値より大きいときに前記第１の基準値を前記送信電力増加要求に対する抽出されたブロックサイズ情報として決定すると共に、前記比率算出部で算出された比率が前記第１のしきい値以下のときに前記第２の基準値を前記送信電力増加要求に対する抽出されたブロックサイズ情報として決定する決定部とを有する
ことを特徴とする請求項１４に記載の移動通信端末の送信電力制御装置。
【請求項１７】
前記最大出力電力状態決定部は、前記新たに抽出されたブロックサイズ情報の値が前記記憶部で記憶された直前のブロックサイズ情報の値と比較して予め定められた第２のしきい値よりも大きく減少した場合に、前記送信電力増加部での前記送信電力増加要求の送信を停止させると共に、前記移動通信端末の送信電力を予め定められた量で減少させる前記送信電力減少要求を前記移動通信端末に送信することを特徴とする請求項１４に記載の移動通信端末の送信電力制御装置。
【請求項１８】
複数の物理チャネルの情報を符号分割多重接続を用いて基地局と情報交換を行う移動通信端末から出力される前記複数の物理チャネルそれぞれの送信電力の合計電力を予め定められた最大出力電力を超えないように予め定められた特定の物理チャネルで送信可能なデータのブロックサイズを調整することにより制御する通信方式における、前記移動通信端末からの送信電力の出力状態を前記最大出力電力となるように、当該移動通信端末に前記基地局に代えて接続された試験装置で設定する移動通信端末の送信電力制御装置であって、
前記移動通信端末から前記試験装置へ送信される前記複数の物理チャネルの種類を前記試験装置から前記移動通信端末に送信設定する使用チャネル設定部と、
前記移動通信端末から送信される前記複数の物理チャネルのうち、予め定められた第１の物理チャネルの送信可能な最大送信電力を前記試験装置から前記移動通信端末に送信設定する最大送信電力設定部と、
前記移動通信端末から送信される前記複数の物理チャネルのうち前記第１の物理チャネル以外の各物理チャネル間の送信電力の比率を前記試験装置から前記移動通信端末に送信設定する送信電力比設定部と、
前記試験装置と前記移動通信端末との間の通信を確立する通信確立部と、
前記送信電力の合計電力が予め定められた最大出力電力に達した状態で、前記各物理チャネルの送信電力に対して調整が行われている過大調整状態に初期設定する過大調整状態設定部と、
前記移動通信端末に対して該移動通信端末の送信電力を前記過大調整状態から予め定められた量で減少させる送信電力減少要求を予め定められた間隔で継続して前記試験装置から送信する送信電力減少部と、
前記送信電力減少部の前記予め定められた間隔での前記送信電力減少要求の送信毎に対する前記移動通信端末からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部と、
前記ブロックサイズ抽出部で抽出されたブロックサイズ情報を少なくとも１回分記憶する記憶部と、
前記ブロックサイズ抽出部で新たに抽出されたブロックサイズ情報の値が予め設定された設定値を越えたか否かを判定すると共に、前記新たに抽出されたブロックサイズ情報の値が前記予め設定された設定値を越えた場合に、前記新たに抽出されたブロックサイズ情報の値と前記記憶部で記憶された直前のブロックサイズ情報の値とを比較し、前記新たに抽出されたブロックサイズ情報の値が前記記憶部で記憶された直前のブロックサイズ情報の値に等しくなった場合に、前記送信電力減少部での前記送信電力減少要求の送信を停止させると共に、前記移動通信端末の送信電力を予め定められた量で増加させる送信電力増加要求を前記移動通信端末に送信する最大出力電力状態決定部と
を備えたことを特徴とする移動通信端末の送信電力制御装置。
【請求項１９】
前記ブロックサイズ抽出部は、
前記予め定められた間隔で継続して送信される各送信電力減少要求の送信間隔内において、前記第２の物理チャネルを含む複数の物理チャネルを複数回受信する受信部と、
該受信部で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出部と、
前記予備抽出部で抽出されたそれぞれのブロックサイズ情報の全数と、それに対する前記第２の基準値と等しい値であるブロックサイズ情報の個数との比率を算出する比率算出部と、
前記比率算出部で算出された比率が、予め設定した第１のしきい値より大きいときに前記第２の基準値を前記送信電力減少要求に対する抽出されたブロックサイズ情報として決定すると共に、前記比率算出部で算出された比率が前記第１のしきい値以下のときに前記第１の基準値を前記送信電力減少要求に対する抽出されたブロックサイズ情報として決定する決定部とを有する
ことを特徴とする請求項１８に記載の移動通信端末の送信電力制御装置。
【請求項２０】
前記ブロックサイズ抽出部は、
前記予め定められた間隔で継続して送信される各送信電力減少要求の送信間隔内において、前記第２の物理チャネルを含む複数の物理チャネルを複数回受信する受信部と、
前記受信部で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、前記ブロックサイズ情報の値が最大である値を第２の基準値とする予備抽出部と、
前記予備抽出部で抽出されたそれぞれのブロックサイズ情報の全数と、前記第２の基準値と等しい値及び該第２の基準値に対して予め定めた数値幅以内の値であるブロックサイズ情報の個数との比率を算出する比率算出部と、
前記比率算出部で算出された比率が、予め設定した第１のしきい値より大きいときに前記第２の基準値を前記送信電力減少要求に対する抽出されたブロックサイズ情報として決定すると共に、前記比率算出部で算出された比率が前記第１のしきい値以下のときに前記第１の基準値を前記送信電力減少要求に対する抽出されたブロックサイズ情報として決定する決定部とを有する
ことを特徴とする請求項１８に記載の移動通信端末の送信電力制御装置。
【請求項２１】
前記最大出力電力状態決定部は、前記新たに抽出されたブロックサイズ情報の値が前記記憶部で記憶された直前のブロックサイズ情報の値と予め定められた第２のしきい値との範囲内にある場合に、前記送信電力減少部での前記送信電力減少要求の送信を停止させると共に、前記移動通信端末の送信電力を予め定められた量で増加させる送信電力増加要求を前記移動通信端末に送信することを特徴とする請求項１８に記載の移動通信端末の送信電力制御装置。
【発明の詳細な説明】
【技術分野】
【０００１】
本発明は、携帯電話等の移動通信端末の試験を行う擬似基地局装置(試験装置)により移動体通信端末の最大出力電力状態を設定する送信電力制御方法及び、送信電力制御装置に関する。
【背景技術】
【０００２】
周知のように、第３世代の移動通信システムにおける無線通信方式の一つとして、Ｗ−ＣＤＭＡ（Wideband Code Division Multiple Access  広帯域符号分割多重接続）が提唱されている。【０００３】
さらに、このＷ−ＣＤＭＡを基礎として、パケット通信速度を上昇させた第３．５世代の移動通信システム（３．５Ｇ）のＨＳＤＰＡ（High Speed Downlink Packet Access ）の規格化がなされている。【０００４】
また、このＨＳＤＰＡに対して、アップリンク機能と高速データ通信を可能とするＨＳＵＰＡ（High Speed Uplink Packet Access ）の通信方式の規格化が検討されている。【０００５】
このＨＳＵＰＡの通信方式においては、図２５に示すように、基地局１と各利用者が所持する移動通信端末２との間で通信を行い、送受される信号内には送受信されるデータや制御情報が多重化されて組込まれている。【０００６】
すなわち、図２５において、移動通信端末２から基地局１へ送信される信号が上り信号（Uplink）３であり、基地局１から移動体端末２へ送信される信号が下り信号（Downlink）４である。【０００７】
図２６は、Ｗ−ＣＤＭＡ通信方式における上り信号３の作成手順を示す模式的なブロック図である。【０００８】
すなわち、図２６に示すように、送信すべきデータを含むデータチャネルＤＰＤＣＨ（Dedicated Physical Data Channel ）及び、制御情報を含む制御チャネルＤＰＣＣＨ（Dedicated Physical Control Channel）は、それぞれ、拡散部５ａ、５ｂにおいて指定された拡散符号でスペクトラム拡散されたのち、加算部６へ入力される。【０００９】
さらに、加算部６で加算された出力は、高周波部（ＲＦ部）７で高周波に変換された後、アンテナ８から無線電波としてオンエアされる。【００１０】
図２７は、前述したＨＳＤＰＡとＨＳＵＰＡとの各通信方式の上り信号の作成手法を示す模式的なブロック図である。【００１１】
すなわち、図２７に示すように、ＨＳＤＰＡとＨＳＵＰＡとの各通信方式の上り信号には、前述したＷ−ＣＤＭＡのデータチャネルＤＰＤＣＨ、制御チャネルＤＰＣＣＨに加えて、拡張されたＨＳＤＰＡによる制御チャネルＨＳ−ＤＰＣＣＨ（High speed Dedicated Physical   Control Channel ）、ＨＳＵＰＡのデータチャネルＥ−ＤＰＤＣＨ（Enhanced Dedicated Physical Data Channel）、制御チャネルＥ−ＤＰＣＣＨ（Enhanced Dedicated Physical Control Channel ）の合計５個の物理チャネルが組込まれている。これらは、それぞれ、拡散部５ａ、５ｂ、５ｃ、５ｄ、５ｅにおいて指定された拡散符号でスペクトラム拡散されたのち、加算部６へ入力される。【００１２】
なお、データチャネルと制御チャネルとは物理チャネルを構成する。【００１３】
そして、これらの５個の物理チャネルは、図２８に示すように、上り信号（uplink）３と、下り信号（downlink）４毎に、個別に設けられ、上り信号（uplink）３の各物理チャネル９と下り信号（downlink）４の各物理チャネル１０とは、異なる周波数帯域に設定されている。【００１４】
ここで、上り信号（uplink）３には５個の物理チャネル９があり、それぞれ、符号多重化されているので、各物理チャネル９は、図示するように、電力方向に積み重ねられている。【００１５】
この場合、重要なことは、移動通信端末２から基地局１へ出力する上り信号（uplink）３の５個の物理チャネル９それぞれの送信電力の合計電力が、予め定められた最大出力電力ＰＭＡＸを超えないように、３ＧＰＰ（3rd Generation Partnership Project）規格で定められているということである。【００１６】
すなわち、３ＧＰＰ規格である非特許文献１の３ＧＰＰ  ＴＳ２５．１０１に記載の6.2.1 UE maximum output powerでは、Ｗ−ＣＤＭＡ通信方式の場合、移動通信端末のクラス（UE Power class）により、移動通信端末２の最大出力電力は＋３３ｄＢｍから＋２１ｄＢｍにパワークラス１−４別に規定されている。【００１７】
前述したように、新たな通信方式の技術が規格化された場合、その通信方式を実現するために開発される移動通信端末が当該通信方式の規格で規定された性能を満たしているかを試験する必要がある。【００１８】
移動通信端末の試験の一つに従来から移動通信端末の送信電力を、前述の最大出力状態として測定する「Maximum Output Power」に関する試験が有り、３ＧＰＰ規格である非特許文献２の３ＧＰＰ  ＴＳ３４．１２１−１に記載の「5.2 Maximum Output Power」において規定されている。【００１９】
なお、特許文献１には、移動通信端末における各データチャネルのデータ伝送速度（データレート）に基づいて、各チャネルの送信電力を制御し、移動通信端末全体の送信電力を制御する技術が開示されている。 
【非特許文献１】３ＧＰＰ  ＴＳ２５．１０１  V6.13.0(2006-10)
【非特許文献２】３ＧＰＰ  ＴＳ３４．１２１−１  V7.2.0(2006-10)
【特許文献１】特表２００３−５１０９５０号公報
【発明の開示】
【００２０】
ところで、前述したようなＨＳＵＰＡの通信方式の採用により、上り信号（uplink）３には、新たにデータチャネルＥ−ＤＰＤＣＨと制御チャネルＥ−ＤＰＣＣＨとが追加されている。
【００２１】
なお、追加されたＥ−ＤＰＣＣＨには、追加されたＥ−ＤＰＤＣＨで１度に伝送可能なデータの大きさ（ブロックサイズ）を表す情報（Ｅ−ＴＦＣＩ：以下データサイズ情報又はブロックサイズ情報という）が含まれている。
【００２２】
このＥ−ＤＰＤＣＨで１度に伝送可能なデータサイズは、Ｅ−ＤＰＤＣＨ単独での送信電力と比例関係にある。
【００２３】
実際の通信においては、電波状況に応じて、その状況における最大の電力効率で通信がなされるようにするために、各物理チャネルの送信電力が制御されている。
【００２４】
しかし、前述したように、多重化された物理チャネル９全体の送信電力における最大出力電力ＰＭＡＸが決められているため、その最大出力電力ＰＭＡＸよりも送信電力を大きくすることはできない。
【００２５】
３ＧＰＰ規格である非特許文献２では、移動通信端末２からの必須の制御チャネル（例えば、ＤＰＣＣＨ）及びデータチャネル（例えば、ＤＰＤＣＨ）の通信の安定性を確保するために、移動通信端末２は、既に最大出力電力ＰＭＡＸで送信している状態において、基地局１からの更なる送信電力の増加を要求される場合がある。
【００２６】
すなわち、基地局１は、必須のチャネルの受信状態がまだ悪いことを表している場合に、Ｅ−ＤＰＤＣＨの単独の送信電力を低下させ、必須の制御チャネル（ＤＰＣＣＨ）及びデータチャネル（ＤＰＤＣＨ）の送信電力を増加させる制御（電力適応制御）を行う。
【００２７】
このような電力適応機能を有する移動通信端末２を試験する試験装置は、擬似基地局装置（ベースステーションシミュレータ）と称され、本来の基地局１をシミュレートする機能を有しており、予め通信手順が記述されたシナリオに基づき移動通信端末２を試験する。
【００２８】
また、このような電力適応機能を有する移動通信端末の試験についても前述の３ＧＰＰ規格である非特許文献２に記載の「5.2B Maximum Outputpower with HS-DPCCH and E-DCH」において規定されている。
【００２９】
この３ＧＰＰ規格である非特許文献２による規定においては、移動通信端末２の送信電力に関して各物理チャネル（ＤＰＣＣＨ、ＤＰＤＣＨ、ＨＳ−ＤＰＣＣＨ、Ｅ−ＤＰＣＣＨ、Ｅ−ＤＰＤＣＨ）が予め定めた所定の送信電力比率で出力させることが求められており、移動通信端末２において前述の電力適応制御が行われるとその比率が崩れてしまうという問題が発生する。
【００３０】
これは、試験装置からの送信電力増加要求に対して、移動通信端末２における各物理チャネル９の各送信電力がどのような比率で送信されているかの情報が試験装置に対して届いていないために発生する問題である。
【００３１】
これを解決する方法として、移動通信端末２と試験装置の間の信号を電力計で測定する方法もある。
【００３２】
しかるに、この方法では、前述の送信電力増加要求の送信間隔（例えば、１０ｍｓ周期）に対し、電力計の測定速度が遅いため、所望の状態に設定するのには時間を要するという問題があると共に、このような電力計ではその構造から、符号分割多重された移動通信端末２の各物理チャネル毎の送信電力を短時間で測定することが極めて困難であるという問題がある。
【００３３】
また、この方法では、電力計の誤差や測定系の影響から、規格で規定された、最大出力電力ＰＭＡＸを測定した時点で、移動通信端末２において各物理チャネル間の送信電力比が本当に所望の状態に設定されているかの確証が得られないという問題がある。
【００３４】
さらに、前述した３ＧＰＰ規格である非特許文献２に記載の「5.2 Maximum Output Power」に関する試験においては、送信電力を短時間で測定することが要求されている。
【００３５】
そこで、移動通信端末２の上り信号（uplink）のデータチャネルＥ−ＤＰＤＣＨのデータの送信電力に対応するブロックサイズを１０ｍｓ周期又は２ｍｓ周期で測定することが必要となる。
【００３６】
しかし、この手法においても、直接、データチャネルＥ−ＤＰＤＣＨのデータのブロックサイズを１０ｍｓ周期又は２ｍｓ周期で測定（計数）することは困難であるという問題がある。
【００３７】
本発明の目的は、以上のような従来技術による問題を解決し、移動通信端末において各物理チャネル間の送信電力比が規定された状態で、該移動通信端末に設定された最大出力電力の状態を短時間で、かつ正確に測定することができる移動通信端末の送信電力制御方法及び移動通信端末の送信電力制御装置を提供することである。
【００３８】
前記目的を達成するために、本発明の第１の態様によると、
複数の物理チャネル（９）の情報を符号分割多重接続を用いて基地局と情報交換を行う移動通信端末（１１）から出力される前記複数の物理チャネル（９）それぞれの送信電力の合計電力を予め定められた最大出力電力を超えないように予め定められた特定の物理チャネルで送信可能なデータのブロックサイズを調整することにより制御する通信方式における、前記移動通信端末（１１）からの送信電力の出力状態を前記最大出力電力となるように、当該移動通信端末に前記基地局に代えて接続された試験装置（１２）で設定する移動通信端末の送信電力制御方法であって、
前記移動通信端末（１１）から前記試験装置（１２）へ送信される前記複数の物理チャネルの種類を前記試験装置（１２）から前記移動通信端末（１１）に送信設定する使用チャネル設定段階（Ｓ１）と、
前記移動通信端末（１１）から送信される前記複数の物理チャネルのうち、予め定められた第１の物理チャネルで送信可能な最大送信電力を前記試験装置（１２）から前記移動通信端末（１１）に送信設定し、且つ前記移動通信端末（１１）から送信される前記複数の物理チャネルのうち前記第１の物理チャネル以外の各物理チャネル間の送信電力の比率を前記試験装置（１２）から前記移動通信端末（１１）に送信設定する送信電力比設定段階（Ｓ２）と、
前記試験装置（１２）において、前記試験装置（１２）と前記移動通信端末（１１）との間の通信を確立すると共に、前記移動通信端末（１１）に対し予め定められている最大でない送信電力状態になるように送信電力を前記試験装置（１２）から前記移動通信端末（１１）に送信設定する通信確立段階（Ｓ３、Ｓ４）と、
前記移動通信端末（１１）に対して該移動通信端末（１１）の送信電力を前記最大でない送信電力状態から予め定められた量で増加させる送信電力増加要求を予め定められた間隔で継続して前記試験装置（１２）から送信する送信電力増加段階（Ｓ５）と、
前記送信電力増加段階（Ｓ５）の前記予め定められた間隔での前記送信電力増加要求の送信毎に対する前記移動通信端末（１１）からの前記複数の物理チャネルを前記試験装置（１７）で受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階（Ｓ６）と、
前記試験装置（１２）において、前記ブロックサイズ抽出段階（Ｓ６）で抽出されたブロックサイズ情報を少なくとも１回分記憶する記憶段階（Ｓ７）と、
前記試験装置（１２）において、前記ブロックサイズ抽出段階（Ｓ６）で新たに抽出されたブロックサイズ情報の値と前記記憶段階（Ｓ７）で記憶された直前のブロックサイズ情報の値とを比較し、前記新たに抽出されたブロックサイズ情報の値が前記記憶段階（Ｓ７）で記憶された直前のブロックサイズ情報の値より減少した場合に、前記送信電力増加段階（Ｓ５）での前記送信電力増加要求の送信を停止させると共に、前記移動通信端末（１１）の送信電力を予め定められた量で減少させる送信電力減少要求を前記移動通信端末（１１）に送信する最大出力電力状態決定段階（Ｓ８、Ｓ９）と
を含むことを特徴とする移動通信端末の送信電力制御方法が提供される。
【００３９】
前記目的を達成するために、本発明の第２の態様によると、
前記ブロックサイズ抽出段階（Ｓ６）は、
前記予め定められた間隔で継続して送信される各送信電力増加要求の送信間隔内において、前記第２の物理チャネルを含む複数の物理チャネルを複数回受信する受信段階と、
前記受信段階で複数回受信した複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出段階と、
前記予備抽出段階で抽出された複数のブロックサイズ情報の全数と、それに対する前記第１の基準値と等しい値であるブロックサイズ情報の個数との比率を算出する比率算出段階と、
前記比率算出段階で算出された比率が、予め設定した第１のしきい値より大きいときに前記第１の基準値を前記送信電力増加要求に対する抽出されたブロックサイズ情報として決定すると共に、前記比率算出段階で算出された比率が前記第１のしきい値以下のときに前記第２の基準値を前記送信電力増加要求に対する抽出されたブロックサイズ情報として決定する決定段階とを有する
ことを特徴とする第１の態様に従う移動通信端末の送信電力制御方法が提供される。
【００４０】
前記目的を達成するために、本発明の第３の態様によると、
前記ブロックサイズ抽出段階（Ｓ６）は、
前記予め定められた間隔で継続して送信される各送信電力増加要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出段階と、
該予備抽出段階で抽出されたそれぞれのブロックサイズ情報の全数と、前記第１の基準値と等しい値及び該第１の基準値に対して予め定めた数値幅以内の値であるブロックサイズ情報の個数との比率を算出する比率算出段階と、
該比率算出段階で算出された比率が、予め設定した第１のしきい値より大きいときに前記第１の基準値を前記送信電力増加要求に対する抽出されたブロックサイズ情報として決定すると共に、前記比率算出段階で算出された比率が前記第１のしきい値以下のときに前記第２の基準値を前記送信電力増加要求に対する抽出されたブロックサイズ情報として決定する決定段階とを有する
ことを特徴とする第１の態様に従う移動通信端末の送信電力制御方法が提供される。
【００４１】
前記目的を達成するために、本発明の第４の態様によると、
前記最大出力電力状態決定段階は、前記新たに抽出されたブロックサイズ情報の値が前記記憶段階で記憶された直前のブロックサイズ情報の値と比較して予め定められた第２のしきい値よりも大きく減少した場合に、前記送信電力増加段階（Ｓ５）での前記送信電力増加要求の送信を停止させると共に、前記移動通信端末（１１）の送信電力を予め定められた量で減少させる前記送信電力減少要求を前記移動通信端末（１１）に送信することを特徴とする第１の態様に従う移動通信端末の送信電力制御方法が提供される。
【００４２】
前記目的を達成するために、本発明の第５の態様によると、
複数の物理チャネル（９）の情報を符号分割多重接続を用いて基地局と情報交換を行う移動通信端末（１１）から出力される前記複数の物理チャネル（９）それぞれの送信電力の合計電力を予め定められた最大出力電力を超えないように予め定められた特定の物理チャネルで送信可能なデータのブロックサイズを調整することにより制御する通信方式における、前記移動通信端末（１１）からの送信電力の出力状態を前記最大出力電力となるように、当該移動通信端末に前記基地局に代えて接続された試験装置（１２）で設定する移動通信端末の送信電力制御方法であって、
前記移動通信端末（１１）から前記試験装置（１２）へ送信される前記複数の物理チャネルの種類を前記試験装置（１２）から前記移動通信端末（１１）に送信設定する使用チャネル設定段階（Ｑ１）と、
前記移動通信端末（１１）から送信される前記複数の物理チャネルのうち、予め定められた第１の物理チャネルの送信可能な最大送信電力を前記試験装置（１２）から前記移動通信端末（１１）に送信設定し、且つ前記移動通信端末（１１）から送信される前記複数の物理チャネルのうち前記第１の物理チャネル以外の各物理チャネル間の送信電力の比率を前記試験装置（１２）から前記移動通信端末（１１）に送信設定する送信電力比設定段階（Ｑ２）と、
前記試験装置（１２）において、前記試験装置（１２）と前記移動通信端末（１１）との間の通信を確立する通信確立段階（Ｑ３）と、
前記試験装置（１２）から前記移動通信端末（１１）に対し、前記送信電力の合計電力が予め定められた最大出力電力に達した状態で、前記各物理チャネルの送信電力に対して調整が行われている過大調整状態に初期設定する過大調整状態設定段階（Ｑ４）と、
前記移動通信端末（１１）に対して該移動通信端末（１１）の送信電力を前記過大調整状態から予め定められた量で減少させる送信電力減少要求を予め定められた間隔で継続して前記試験装置（１２）から送信する送信電力減少段階（Ｑ５）と、
前記送信電力減少段階（Ｑ５）の前記予め定められた間隔での前記送信電力減少要求の送信毎に対する前記移動通信端末（１１）からの前記複数の物理チャネルを前記試験装置（１２）で受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階（Ｑ６）と、
前記試験装置（１２）において、前記ブロックサイズ抽出段階（Ｑ６）で抽出されたブロックサイズ情報を少なくとも１回分記憶する記憶段階（Ｑ７）と、
前記試験装置（１２）において、前記ブロックサイズ抽出段階（Ｑ６）で新たに抽出されたブロックサイズ情報の値が予め設定された設定値を越えたか否かを判定するブロックサイズ情報判定段階（Ｑ８）と、
前記試験装置（１２）において、前記ブロックサイズ情報判定段階（Ｑ８）で前記新たに抽出されたブロックサイズ情報の値が前記予め設定された設定値を越えた場合に、前記新たに抽出されたブロックサイズ情報の値と前記記憶段階（Ｑ７）で記憶された直前のブロックサイズ情報の値とを比較し、前記新たに抽出されたブロックサイズ情報の値が前記記憶段階（Ｑ７）で記憶された直前のブロックサイズ情報の値に等しくなった場合に、前記送信電力減少段階（Ｑ５）での前記送信電力減少要求の送信を停止させると共に、前記移動通信端末（１１）の送信電力を予め定められた量で増加させる送信電力増加要求を前記移動通信端末（１１）に送信する最大出力電力状態決定段階（Ｑ９、Ｑ１０）と
を含むことを特徴とする移動通信端末の送信電力制御方法が提供される。
【００４３】
前記目的を達成するために、本発明の第６の態様によると、
前記ブロックサイズ抽出段階（Ｑ６）は、
前記予め定められた間隔で継続して送信される各送信電力減少要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出段階と、
前記予備抽出段階で抽出されたそれぞれのブロックサイズ情報の全数と、それに対する前記第２の基準値と等しい値であるブロックサイズ情報の個数との比率を算出する比率算出段階と、
前記比率算出段階で算出された比率が、予め設定した第１のしきい値より大きいときに前記第２の基準値を前記送信電力減少要求に対する抽出されたブロックサイズ情報として決定すると共に、前記比率算出段階で算出された比率が前記第１のしきい値以下のときに前記第１の基準値を前記送信電力減少要求に対する抽出されたブロックサイズ情報として決定する決定段階とを有する
ことを特徴とする第５の態様に従う移動通信端末の送信電力制御方法が提供される。
【００４４】
前記目的を達成するために、本発明の第７の態様によると、
前記ブロックサイズ抽出段階（Ｑ６）は、
前記予め定められた間隔で継続して送信される各送信電力減少要求の送信間隔内において、前記第２の物理チャネルを含む複数の物理チャネルを複数回受信する受信段階と、
前記受信段階で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出段階と、
前記予備抽出段階で抽出されたそれぞれのブロックサイズ情報の全数と、前記第２の基準値と等しい値及び該第２の基準値に対して予め定めた数値幅以内の値であるブロックサイズ情報の個数との比率を算出する比率算出段階と、
前記比率算出段階で算出された比率が、予め設定した第１のしきい値より大きいときに前記第２の基準値を前記送信電力減少要求に対する抽出されたブロックサイズ情報として決定すると共に、前記比率算出段階で算出された比率が前記第１のしきい値以下のときに前記第１の基準値を前記送信電力減少要求に対する抽出されたブロックサイズ情報として決定する決定段階とを有する
ことを特徴とする第５の態様に従う移動通信端末の送信電力制御方法が提供される。
【００４５】
前記目的を達成するために、本発明の第８の態様によると、
前記最大出力電力状態決定段階は、前記新たに抽出されたブロックサイズ情報の値が前記記憶段階で記憶された直前のブロックサイズ情報の値と予め定められた第２のしきい値との範囲内にある場合に、前記送信電力減少段階（Ｑ５）での前記送信電力減少要求の送信を停止させると共に、前記移動通信端末（１１）の送信電力を予め定められた量で増加させる送信電力増加要求を前記移動通信端末（１１）に送信することを特徴とする第５の態様に従う移動通信端末の送信電力制御方法が提供される。
【００４６】
前記目的を達成するために、本発明の第９の態様によると、
前記通信方式は、Ｗ−ＣＤＭＡであることを特徴とする第１乃至第８の態様のいずれか一に従う移動通信端末の送信電力制御方法が提供される。
【００４７】
前記目的を達成するために、本発明の第１０の態様によると、
前記移動通信端末（１１）からから出力される前記複数の物理チャネルは、少なくともＤＰＣＣＨ、Ｅ−ＤＰＣＣＨ、Ｅ−ＤＰＤＣＨを含むことを特徴とする第９の態様に従う移動通信端末の送信電力制御方法が提供される。
【００４８】
前記目的を達成するために、本発明の第１１の態様によると、
前記第１の物理チャネルは前記Ｅ−ＤＰＤＣＨであり、前記第２の物理チャネルは前記Ｅ−ＤＰＣＣＨであることを特徴とする第１０の態様に従う移動通信端末の送信電力制御方法が提供される。
【００４９】
前記目的を達成するために、本発明の第１２の態様によると、
前記ブロックサイズ情報は、前記Ｅ−ＤＰＣＣＨに含まれるＥ−ＴＦＣＩ（転送量情報）であることを特徴とする第１０の態様に従う移動通信端末の送信電力制御方法が提供される。
【００５０】
前記目的を達成するために、本発明の第１３の態様によると、
前記送信電力増加要求と前記送信電力減少要求とは、前記試験装置（１２）から前記移動通信端末（１１）に送信するダウンリンクのＤＰＣＣＨ又はダウンリンクのＦ−ＤＰＣＨに含まれるＴＰＣビットで指示することを特徴とする第１０の態様に従う移動通信端末の送信電力制御方法が提供される。
【００５１】
前記目的を達成するために、本発明の第１４の態様によると、
複数の物理チャネル（９）の情報を符号分割多重接続を用いて基地局と情報交換を行う移動通信端末（１１）から出力される前記複数の物理チャネル（９）それぞれの送信電力の合計電力を予め定められた最大出力電力を超えないように予め定められた特定の物理チャネルで送信可能なデータのブロックサイズを調整することにより制御する通信方式における、前記移動通信端末（１１）からの送信電力の出力状態を前記最大出力電力となるように、当該移動通信端末に前記基地局に代えて接続された試験装置（１２）で設定する移動通信端末の送信電力制御装置であって、
前記移動通信端末（１１）から前記試験装置（１２）へ送信される前記複数の物理チャネルの種類を前記試験装置（１２）から前記移動通信端末（１１）に送信設定する使用チャネル設定部（２０）と、
前記移動通信端末（１１）から送信される前記複数の物理チャネルのうち、予め定められた第１の物理チャネルの送信可能な最大送信電力を前記試験装置（１２）から前記移動通信端末（１１）に送信設定する最大送信電力設定部（２１）と、
前記移動通信端末（１１）から送信される前記複数の物理チャネルのうち前記第１の物理チャネル以外の各物理チャネル間の送信電力の比率を前記試験装置（１２）から前記移動通信端末（１１）に送信設定する送信電力比設定部（２２）と、
前記試験装置（１２）と前記移動通信端末（１１）との間の通信を確立すると共に、前記移動通信端末（１１）に対し予め定められている最大でない送信電力状態になるように送信電力を前記試験装置（１２）から前記移動通信端末（１１）に送信設定する通信確立部（２４）と、
前記移動通信端末（１１）に対して該移動通信端末（１１）の送信電力を前記最大でない送信電力状態から予め定められた量で増加させる送信電力増加要求を予め定められた間隔で継続して前記試験装置（１２）から送信する送信電力増加部（２３）と、
前記送信電力増加部（２３）の前記予め定められた間隔での前記送信電力増加要求の送信毎に対する前記移動通信端末（１１）からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部（２５）と、
前記ブロックサイズ抽出部（２５）で抽出されたブロックサイズ情報を少なくとも１回分記憶する記憶部（２６）と、
前記ブロックサイズ抽出部（２５）で新たに抽出されたブロックサイズ情報の値と前記記憶部（２６）で記憶された直前のブロックサイズ情報の値とを比較し、前記新たに抽出されたブロックサイズ情報の値が前記記憶部（２６）で記憶された直前のブロックサイズ情報の値より減少した場合には、前記送信電力増加部（２３）での前記送信電力増加要求の送信を停止させると共に、前記移動通信端末（１１）の送信電力を予め定められた量で減少させる送信電力減少要求を前記移動通信端末（１１）に送信する最大出力電力状態決定部（２７）と
を備えたことを特徴とする移動通信端末の送信電力制御装置が提供される。
【００５２】
前記目的を達成するために、本発明の第１５の態様によると、
前記ブロックサイズ抽出部（２５ａ）は、
前記予め定められた間隔で継続して送信される各送信電力増加要求の送信間隔内において、前記第２の物理チャネルを含む複数の物理チャネルを複数回受信する受信部（５０ａ）と、
前記受信部（５０ａ）で複数回受信した前記複数の物理チャネルに含まれる前記第２の物理チャネルから、前記ブロックサイズ情報をそれぞれ抽出し、該抽出したそれぞれの前記ブロックサイズ情報は、所定の２つの値のいずれかの値を有しており、前記所定の２つの値のうち小さい値を第１の基準値とし、他方の値を第２の基準値とする予備抽出部（５０ｂ）と、
前記予備抽出部（５０ｂ）で抽出されたそれぞれのブロックサイズ情報の全数と、それに対する前記第１の基準値と等しい値であるブロックサイズ情報の個数との比率を算出する比率算出部（５０ｄ）と、
前記比率算出部（５０ｄ）で算出された比率が、予め設定した第１のしきい値より大きいときに前記第１の基準値を前記送信電力増加要求に対する抽出されたブロックサイズ情報として決定すると共に、前記比率算出部（５０ｄ）で算出された比率が前記第１のしきい値以下のときに前記第２の基準値を前記送信電力増加要求に対する抽出されたブロックサイズ情報として決定する決定部（５０ｄ）とを有する
ことを特徴とする第１４の態様に従う移動通信端末の送信電力制御装置が提供される。
【００５３】
前記目的を達成するために、本発明の第１６の態様によると、
前記ブロックサイズ抽出部（２５ａ）は、
前記予め定められた間隔で継続して送信される各送信電力増加要求の送信間隔内において、前記第２の物理チャネルを含む複数の物理チャネルを複数回受信する受信部（５０ａ）と、
前記受信部（５０ａ）で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出部（５０ｂ）と、
前記予備抽出部（５０ｂ）で抽出されたそれぞれのブロックサイズ情報の全数と、前記第１の基準値と等しい値及び該第１の基準値に対して予め定めた数値幅以内の値であるブロックサイズ情報の個数との比率を算出する比率算出部（５０ｄ）と、
前記比率算出部（５０ｄ）で算出された比率が、予め設定した第１のしきい値より大きいときに前記第１の基準値を前記送信電力増加要求に対する抽出されたブロックサイズ情報として決定すると共に、前記比率算出部で算出された比率が前記第１のしきい値以下のときに前記第２の基準値を前記送信電力増加要求に対する抽出されたブロックサイズ情報として決定する決定部（５０ｄ）とを有する
ことを特徴とする第１４の態様に従う移動通信端末の送信電力制御装置が提供される。
【００５４】
前記目的を達成するために、本発明の第１７の態様によると、
前記最大出力電力状態決定部（２７）は、前記新たに抽出されたブロックサイズ情報の値が前記記憶部（２６）で記憶された直前のブロックサイズ情報の値と比較して予め定められた第２のしきい値よりも大きく減少した場合に、前記送信電力増加部（２３）での前記送信電力増加要求の送信を停止させると共に、前記移動通信端末（１１）の送信電力を予め定められた量で減少させる前記送信電力減少要求を前記移動通信端末（１１）に送信することを特徴とする第１４の態様に従う移動通信端末の送信電力制御装置が提供される。
【００５５】
前記目的を達成するために、本発明の第１８の態様によると、
複数の物理チャネル（９）の情報を符号分割多重接続を用いて基地局と情報交換を行う移動通信端末（１１）から出力される前記複数の物理チャネル（９）それぞれの送信電力の合計電力を予め定められた最大出力電力を超えないように予め定められた特定の物理チャネルで送信可能なデータのブロックサイズを調整することにより制御する通信方式における、前記移動通信端末（１１）からの送信電力の出力状態を前記最大出力電力となるように、当該移動通信端末に前記基地局に代えて接続された試験装置（１２）で設定する移動通信端末の送信電力制御装置であって、
前記移動通信端末（１１）から前記試験装置（１２）へ送信される前記複数の物理チャネルの種類を前記試験装置（１７）から前記移動通信端末（１１）に送信設定する使用チャネル設定部（２０）と、
前記移動通信端末（１１）から送信される前記複数の物理チャネルのうち、予め定められた第１の物理チャネルの送信可能な最大送信電力を前記試験装置（１７）から前記移動通信端末（１１）に送信設定する最大送信電力設定部（２１）と、
前記移動通信端末（１１）から送信される前記複数の物理チャネルのうち前記第１の物理チャネル以外の各物理チャネル間の送信電力の比率を前記試験装置（１７）から前記移動通信端末（１１）に送信設定する送信電力比設定部（２２）と、
前記試験装置（１７）と前記移動通信端末（１１）との間の通信を確立する通信確立部（２４）と、
前記送信電力の合計電力が予め定められた最大出力電力に達した状態で、前記各物理チャネルの送信電力に対して調整が行われている過大調整状態に初期設定する過大調整状態設定部（３７）と、
前記移動通信端末（１１）に対して該移動通信端末（１１）の送信電力を前記過大調整状態から予め定められた量で減少させる送信電力減少要求を予め定められた間隔で継続して前記試験装置（１７）から送信する送信電力減少部（２３ａ）と、
前記送信電力減少部（２３ａ）の前記予め定められた間隔での前記送信電力減少要求の送信毎に対する前記移動通信端末（１１）からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部（２５）と、
前記ブロックサイズ抽出部（２５）で抽出されたブロックサイズ情報を少なくとも１回分記憶する記憶部（２６）と、
前記ブロックサイズ抽出部（２５）で新たに抽出されたブロックサイズ情報の値が予め設定された設定値を越えたか否かを判定すると共に、前記新たに抽出されたブロックサイズ情報の値が前記予め設定された設定値を越えた場合に、前記新たに抽出されたブロックサイズ情報の値と前記記憶部（２６）で記憶された直前のブロックサイズ情報の値とを比較し、前記新たに抽出されたブロックサイズ情報の値が前記記憶部（２６）で記憶された直前のブロックサイズ情報の値に等しくなった場合に、前記送信電力減少部（２３ａ）での前記送信電力減少要求の送信を停止させると共に、前記移動通信端末（１１）の送信電力を予め定められた量で増加させる送信電力増加要求を前記移動通信端末（１１）に送信する最大出力電力状態決定部（２７ａ）と
を備えたことを特徴とする移動通信端末の送信電力制御装置が提供される。
【００５６】
前記目的を達成するために、本発明の第１９の態様によると、
前記ブロックサイズ抽出部（２５ｂ）は、
前記予め定められた間隔で継続して送信される各送信電力減少要求の送信間隔内において、前記第２の物理チャネルを含む複数の物理チャネルを複数回受信する受信部（５１ａ）と、
前記受信部（５１ａ）で複数回受信した前記複数の物理チャネルに含まれる前記第２の物理チャネルから、前記ブロックサイズ情報をそれぞれ抽出し、該抽出されたそれぞれの前記ブロックサイズ情報は、所定の２つの値のいずれかの値を有しており、前記所定の２つの値のうち小さい値を第１の基準値とし、他方の値を第２の基準値とする予備抽出部（５１ｂ）と、
前記予備抽出部（５１ｂ）で抽出されたそれぞれのブロックサイズ情報の全数と、それに対する前記第２の基準値と等しい値であるブロックサイズ情報の個数との比率を算出する比率算出部（５１ｃ）と、
前記比率算出部（５１ｃ）で算出された比率が、予め設定した第１のしきい値より大きいときに前記第２の基準値を前記送信電力減少要求に対する抽出されたブロックサイズ情報として決定すると共に、前記比率算出部（５１ｃ）で算出された比率が前記第１のしきい値以下のときに前記第１の基準値を前記送信電力減少要求に対する抽出されたブロックサイズ情報として決定する決定部（５１ｄ）とを有する
ことを特徴とする第１８の態様に従う移動通信端末の送信電力制御装置が提供される。
【００５７】
前記目的を達成するために、本発明の第２０の態様によると、
前記ブロックサイズ抽出部（２５ｂ）は、
前記予め定められた間隔で継続して送信される各送信電力減少要求の送信間隔内において、前記第２の物理チャネルを含む複数の物理チャネルを複数回受信する受信部（５１ａ）と、
前記受信部（５１ａ）で複数回受信した前記複数の物理チャネルに含まれる前記第２の物理チャネルから、前記ブロックサイズ情報をそれぞれ抽出し、該抽出されたそれぞれの前記ブロックサイズ情報の値が最小である値を第１の基準値とし、該抽出されたそれぞれの前記ブロックサイズ情報の値が最大である値を第２の基準値とする予備抽出部（５１ｂ）と、
前記予備抽出部（５１ｂ）で抽出されたそれぞれのブロックサイズ情報の全数と、前記第２の基準値と等しい値及び該第２の基準値に対して予め定めた数値幅以内の値であるブロックサイズ情報の個数との比率を算出する比率算出部（５１ｄ）と、
前記比率算出部（５１ｄ）で算出された比率が、予め設定した第１のしきい値より大きいときに前記第２の基準値を前記送信電力減少要求に対する抽出されたブロックサイズ情報として決定すると共に、前記比率算出部（５１ｄ）で算出された比率が前記第１のしきい値以下のときに前記第１の基準値を前記送信電力減少要求に対する抽出されたブロックサイズ情報として決定する決定部（５１ｄ）とを有する
ことを特徴とする第１８の態様に従う移動通信端末の送信電力制御装置が提供される。
【００５８】
前記目的を達成するために、本発明の第２１の態様によると、
前記最大出力電力状態決定部（２７ａ）は、前記新たに抽出されたブロックサイズ情報の値が前記記憶部（２６）で記憶された直前のブロックサイズ情報の値と予め定められた第２のしきい値との範囲内にある場合に、前記送信電力減少部（２３ａ）での前記送信電力減少要求の送信を停止させると共に、前記移動通信端末（１１）の送信電力を予め定められた量で増加させる送信電力増加要求を前記移動通信端末（１１）に送信する前記移動通信端末（１１）の送信電力を予め定められた量で増加させる送信電力増加要求を前記移動通信端末（１１）に送信することを特徴とする第１８の態様に従う移動通信端末の送信電力制御装置が提供される。
【００５９】
第１の態様のように構成された移動通信端末の送信電力制御方法においては、移動通信端末から出力される各物理チャネルの送信電力は、該当物理チャネルで送信するデータのブロックサイズを変更することによって、制御される。
【００６０】
ここで、ブロックサイズを大きくすれば、単位時間当たりの送信データ量が多くなり、該当物理チャネルの送信電力は上昇させなければならない。
【００６１】
そして、最大送信電力を設定した第１の物理チャネルのブロックサイズは、試験装置側で常時把握されている。
【００６２】
そして、試験装置側から移動通信端末へ送信電力の増加指示を所定の時間間隔で送信すると、移動通信端末は前述した、送信電力を上昇させるに際しても、各チャネルが予め定めた所定の送信電力比率を維持するので、所定の送信電力比率を維持した状態で、各物理チャネルの送信電力を合計した移動体通信端末の送信電力も上昇する。
【００６３】
そして、移動体通信端末の送信電力が最大出力電力に達した後にも、送信電力の増加指示を出し続けると、最大送信電力を設定した第１の物理チャネルの送信電力が低下することによって、合計の送信電力が最大出力電力と実質的に同一値を維持する。ここで、同一値はある幅を有していてもよい。すなわち、図９に示す「過大調整状態」となる。
【００６４】
したがって、第１の物理チャネルの送信電力の低下タイミングを検出することによって、各物理チャネルが予め定めた所定の送信電力比率を維持した条件における、移動体通信端末の送信電力が最大出力電力状態であることを検出することができる。
【００６５】
具体的には、第１の物理チャネルのデータのブロックサイズが減少したことを検出する。
【００６６】
第２の態様のように構成された移動通信端末の送信電力制御方法においては、試験装置から移動通信端末へ一つの送信電力増加要求を送出してから次の送信電力増加要求を送出するまでの間に、複数のブロックサイズ情報を抽出して、この複数のブロックサイズ情報から、一つの送信電力増加要求に対応するブロックサイズ情報を決定しているので、例えば、雑音等によるデータ誤りや移動通信端末の過渡的状態等の要因よる、誤ったブロックサイズ情報に基づいて最大出力電力状態を検出することが防止される。
【００６７】
第３の態様のように構成された移動通信端末の送信電力制御方法においては、抽出したブロックサイズ情報に移動通信端末側の要因による小さな変動が生じたとしても、ブロックサイズ情報を安定して抽出できるため、最大出力状態であることを検出できる。
【００６８】
第４の態様のように構成された送信電力制御方法においては、誤って最大出力電力状態であると検出されることが防止される。
【００６９】
第５の態様のように構成された移動通信端末の送信電力制御方法においては、第１の態様と異なる部分は、試験装置は、最初に、移動通信端末に対して、前述した「過大調整状態」になるように、送信電力を設定することである。
【００７０】
この状態においては、第１の物理チャネルの送信電力は、予め設定した最大送信電力を大きく下回っている。
【００７１】
この初期状態から、試験装置は移動通信端末に対して所定の時間間隔で、送信電力の低下指示を送信していくと、第１の物理チャネル以外の各物理チャネルの送信電力は減少していくが、合計の送信電力は、最大出力電力状態を維持しているので、第１の物理チャネルの送信電力は増加していく。
【００７２】
したがって、第１の物理チャネルの送信電力の増加が停止したタイミングを検出することによって、各チャネルが予め定めた所定の送信電力比率を維持した条件における、移動体通信端末の送信電力が最大出力電力状態であることを検出できる。
【００７３】
具体的には、第１の物理チャネルのデータのブロックサイズの増加が停止したことを検出する。
【００７４】
したがって、第５の態様によれば、上述した第１の態様とほぼ同様の作用効果を奏することができる。
【００７５】
第６の態様のように構成された移動通信端末の送信電力制御方法においては、先に説明した第２の態様とほぼ同様の作用効果を奏することが可能である。
【００７６】
第７の態様のように構成された送信電力制御方法においては、先に説明した第３の態様とほぼ同様の作用効果を奏することが可能である。
【００７７】
第８の態様のように構成された送信電力制御方法においては、先に説明した第４の態様とほぼ同様の作用効果を奏することが可能である。
【００７８】
第９の態様のように構成された送信電力制御方法において、通信方式は、Ｗ−ＣＤＭＡである。
【００７９】
第１０の態様のように構成された送信電力制御方法において、移動通信端末からから出力される複数の物理チャネルは、少なくともＤＰＣＣＨ、Ｅ−ＤＰＣＣＨ、Ｅ−ＤＰＤＣＨを含む。
【００８０】
第１１の態様のように構成された送信電力制御方法において、第１の物理チャネルはＥ−ＤＰＤＣＨであり、第２の物理チャネルはＥ−ＤＰＣＣＨである。
【００８１】
第１２の態様のように構成された送信電力制御方法において、ブロックサイズ情報は、Ｅ−ＤＰＣＣＨに含まれるＥ−ＴＦＣＩ（転送量情報）である。
【００８２】
第１３の態様のように構成された送信電力制御方法において、送信電力増加要求と送信電力減少要求とは、試験装置から移動通信端末に送信するダウンリンクのＤＰＣＣＨ又はダウンリンクのＦ−ＤＰＣＨに含まれるＴＰＣビットで指示する。
【００８３】
第１４の態様のように構成された送信電力制御装置においては、移動通信端末に対して送信電力を予め定められた量で増加させていく、先に説明した第１の態様の送信電力制御方法と同様の作用効果を奏することが可能である。
【００８４】
第１５の態様のように構成された送信電力制御装置においては、先に説明した第２の態様の送信電力制御方法と同様の作用効果を奏することが可能である。
【００８５】
第１６の態様のように構成された送信電力制御装置においては、先に説明した第３の態様の送信電力制御方法と同様の作用効果を奏することが可能である。
【００８６】
第１７の態様のように構成された送信電力制御装置においては、先に説明した第４の態様の送信電力制御方法と同様の作用効果を奏することが可能である。
【００８７】
第１８の態様のように構成された送信電力制御装置においては、移動通信端末に対して送信電力を予め定められた量で減少させていく、先に説明した第５の態様の送信電力制御方法と同様の作用効果を奏することが可能である。
【００８８】
第１９の態様のように構成された送信電力制御装置においては、先に説明した第２の態様の送信電力制御方法と同様の作用効果を奏することが可能である。
【００８９】
第２０の態様のように構成された送信電力制御装置においては、先に説明した第３の態様の送信電力制御方法と同様の作用効果を奏することが可能である。
【００９０】
第２１の態様のように構成された送信電力制御装置においては、先に説明した第４の態様の送信電力制御方法と同様の作用効果を奏することが可能である。
【００９１】
以上のように、本発明においては、試験装置から試験対象の移動通信端末に対して、この移動通信端末の送信電力を所定間隔で所定量ずつ増加させていき、又は減少させていく過程で特定の物理チャネルの電力量変化の特異点を検出することにより、移動通信端末において各物理チャネル間の送信電力比が規定された状態で、この移動通信端末に設定された最大出力電力の状態を短時間で、かつ正確に実現することができる。
【図面の簡単な説明】
【００９２】
【図１】図１は、本発明による移動通信端末の送信電力制御方法及び移動通信端末の送信電力制御装置が適用される移動通信端末に対する試験システムを説明するために示す模式的なブロック図である。
【図２】図２は、本発明の第１実施形態による移動通信端末の送信電力制御方法及び移動通信端末の送信電力制御装置が適用される送信電力制御装置の概略構成を説明するために示すブロック図である。
【図３】図３は、本発明が適用される移動通信端末と疑似基地装置（試験装置）との通信における下り信号に含まれる制御チャネル及びデータチャネルのフォーマットを説明するために示すフレーム構成図である。
【図４】図４は、本発明が適用される移動通信端末から出力される上り信号の５個の物理チャネル９の各送信電力を、試験装置から移動通信端末へ出力される下り信号の２個のチャネルＤＰＤＣＨ、Ｅ−ＡＧＣＨを用いて指定する際に用いられる各物理チャネルの電力値、波高値、指定値の関係を説明するために示す設定テーブルである。
【図５】図５は、本発明が適用される移動通信端末が下り信号の制御チャネルＥ−ＡＧＣＨにて指定されるＥ−ＤＰＤＣＨの最大送信電力の電力比（Ａed）２＝（βed／βc ）２を受信することにより、Ｅ―ＤＰＤＣＨに対する対ＤＰＣＣＨ波高比（βed／βc ）を全Ｅ−ＴＦＣＩ番号（コード）に対して補間する際に用いられる波高比とＥ−ＴＦＣＩ番号との関係を説明するために示すテーブルである。
【図６】図６は、本発明が適用される試験装置から移動通信端末へ出力される下り信号の制御チャネルＤＰＣＣＨのＴＰＣを用いて、移動通信端末の上り信号の送信電力の増加、減少、現状維持を指定する際に用いられるＤＰＣＣＨのＴＰＣコマンドを説明するために示すテーブルである。
【図７】図７は、本発明が適用される移動通信端末から出力される上り信号に含まれるＥ−ＤＰＣＣＨのブロック構成及びこのＥ−ＤＰＣＣＨのＥ−ＴＦＣＩに、現在時点で、上り信号に含まれるＥ−ＤＰＤＣＨの送信電力に対応するブロックサイズを特定できるＥ−ＴＦＣＩ番号が自動的に書込まれる際に用いられるＥ−ＤＰＣＣＨのＥ−ＴＦＣＩ番号及びブロックサイズとの関係を説明するために示す図である。
【図８】図８は、本発明が適用される試験装置が下り信号の制御チャネルＥ−ＡＧＣＨを用いて、上り信号のデータチャネルＥ−ＤＰＤＣＨの最大送信電力を設定する際に用いられるインデックスと波高値との関係を説明するために示すテーブルである。
【図９】図９は、本発明が適用される移動通信端末から出力される上り信号に含まれる５個の物理チャネル（ＤＰＣＣＨ、ＤＰＤＣＨ、ＨＳ−ＤＰＣＣＨ、Ｅ−ＤＰＣＣＨ、Ｅ−ＤＰＤＣＨ）の各電力値Ｐｃ、Ｐｄ、Ｐｈｓ、Ｐe ｃ、Ｐｅｄの変化を説明するために示す図である。
【図１０】図１０は、本発明が適用される第１実施形態による送信電力制御装置の全体動作を説明するために示すフローチャートである。
【図１１】図１１は、本発明が適用される第１実施形態による送信電力制御装置の全体動作を説明するために示すタイミングチャートである。
【図１２】図１２は、本発明が適用される第２実施形態による送信電力制御方法が採用された送信電力制御装置の概略構成を説明するために示すブロック図である。
【図１３】図１３は、本発明が適用される第２実施形態による送信電力制御装置の全体動作を説明するために示すフローチャートである。
【図１４】図１４は、本発明が適用される第２実施形態による送信電力制御装置の全体動作を説明するために示すフローチャートである。
【図１５】図１５は、本発明が適用される第２実施形態による送信電力制御装置の全体動作を説明するために示すタイミングチャートである。
【図１６】図１６は、本発明が適用される第３実施形態による送信電力制御方法が採用された送信電力制御装置の主要部の動作を説明するために示すフローチャートである。
【図１７】図１７は、本発明が適用される第３実施形態による送信電力制御方法が採用された送信電力制御装置の主要部の動作を説明するために示すタイミングチャートである。
【図１８】図１８は、本発明が適用される第４実施形態による送信電力制御方法を遂行する送信電力制御装置の主要部の動作を説明するために示すフローチャートである。
【図１９】図１９は、本発明が適用される第４実施形態による送信電力制御装置の全体動作を説明するために示すタイミングチャートである。
【図２０】図２０は、本発明が適用される第３実施形態による送信電力制御方法を遂行する送信電力制御装置の主要部の構成を説明するために示すブロック図である。
【図２１】図２１は、本発明が適用される第４実施形態による送信電力制御方法を遂行する送信電力制御装置の主要部の構成を説明するために示すブロック図である。
【図２２】図２２は、本発明が適用される第３実施形態及び第４実施形態による送信電力制御装置の効果を説明するために示す模式図である。
【図２３】図２３は、本発明が適用される移動通信端末からのＥ−ＤＰＣＣＨのＥ−ＴＦＣＩのブロックサイズ情報が変動する要因を説明するために示すテーブルである。
【図２４】図２４は、本発明が適用される移動通信端末からのＥ−ＤＰＣＣＨのＥ−ＴＦＣＩのブロックサイズ情報が変動する要因を説明するために示すテーブルである。
【図２５】図２５は、従来技術による移動通信端末と基地局との関係を説明するために示す図である。
【図２６】図２６は、従来技術によるＣＤＭＡ通信方式の構成を説明するために示すブロック図である。
【図２７】図２７は、従来技術によるＨＳＤＰＡ及びＨＳＵＰＡ通信方式の構成を説明するために示すブロック図である。
【図２８】図２８は、従来技術によるＨＳＤＰＡ及びＨＳＵＰＡ通信方式の上り信号と下り信号との出力電力関係を説明するために示す図である。
【発明を実施するための最良の形態】
【００９３】
以下、本発明の各実施形態を図面を用いて説明する。【００９４】
図１は、本発明による移動通信端末の送信電力制御方法及び移動通信端末の送信電力制御装置が適用される移動通信端末１１に対する試験システムを説明するために示す模式的なブロック図である。【００９５】
試験対象の移動通信端末１１は、図２５で説明した移動通信端末２と同様に、図２７、図２８のＨＳＤＰＡ及びＨＳＵＰＡの通信方式が採用されているものとする。【００９６】
試験装置としての擬似基地局装置（ベースステーションシミュレータ、以下、試験装置とも記す）１２は、移動通信端末１１に対して下り信号（downlink）を利用して各種試験信号を送出して、移動通信端末１１から出力される上り信号（uplink）の状態から、移動通信端末１１の各種試験を実施する。【００９７】
また、移動通信端末１１から出力される上り信号（uplink）の電力は、電力測定装置１３で測定され、擬似基地局装置（試験装置）１２へ入力される。【００９８】
擬似基地局装置（試験装置）１２内には、例えば、変調精度測定部１４、周波数測定部１５、最大出力電力測定部１６等が設けられている。【００９９】
本発明による移動通信端末の送信電力制御方法を遂行するための送信電力制御装置１７は、試験装置でもある擬似基地局装置１２内の最大出力電力測定部１６の内部に組込まれ、かつ運用される。【０１００】
（第１実施形態）
図１０は、本発明が適用される第１実施形態による移動通信端末の送信電力制御方法を遂行する送信電力制御装置の全体動作を説明するために示すフローチャートである。【０１０１】
すなわち、第１実施形態による移動通信端末の送信電力制御方法の基本的な構成は、複数の物理チャネル９の情報を符号分割多重接続を用いて基地局と情報交換を行う移動通信端末１１から出力される前記複数の物理チャネル９それぞれの送信電力の合計電力が予め定められた最大出力電力を超えないように予め定められた特定の物理チャネルで送信可能なデータのブロックサイズを調整することにより制御する通信方式における、前記移動通信端末１１からの送信電力の出力状態を前記最大出力電力となるように、当該移動通信端末に前記基地局に代えて接続された試験装置１２で設定する送信電力制御方法であって、前記移動通信端末１１から前記試験装置１２へ送信される前記複数の物理チャネルの種類を前記試験装置１２から前記移動通信端末１１に送信設定する使用チャネル設定段階Ｓ１と、前記移動通信端末１１から送信される前記複数の物理チャネルのうち、予め定められた第１の物理チャネルの送信可能な最大送信電力を前記試験装置１２から前記移動通信端末１１に送信設定し、且つ前記移動通信端末１１から送信される前記複数の物理チャネルのうち前記第１の物理チャネル以外の各物理チャネル間の送信電力の比率を前記試験装置１２から前記移動通信端末１１に送信設定する送信電力比設定段階Ｓ２と、前記試験装置１２において、前記試験装置１２と前記移動通信端末１１との間の通信を確立すると共に、前記移動通信端末１１に対し予め定められている最大でない送信電力状態になるように送信電力を前記試験装置１２から前記移動通信端末１１に送信設定する通信確立段階Ｓ３、Ｓ４と、前記移動通信端末１１に対して該移動通信端末１１の送信電力を予め定められた量で増加させる送信電力増加要求を予め定められた間隔で継続して前記試験装置１２から送信する送信電力増加段階Ｓ５と、前記送信電力増加段階Ｓ５の前記予め定められた間隔での前記送信電力増加要求の送信毎に対する前記移動通信端末１１からの前記複数の物理チャネルを前記試験装置１７で受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階Ｓ６と、前記試験装置１２において、前記ブロックサイズ抽出段階Ｓ６で抽出されたブロックサイズ情報を少なくとも１回分記憶する記憶段階Ｓ７と、前記試験装置１２において、前記ブロックサイズ抽出段階Ｓ６で新たに抽出されたブロックサイズ情報の値と前記記憶段階Ｓ７で記憶された直前のブロックサイズ情報の値とを比較し、前記新たに抽出されたブロックサイズ情報の値が前記記憶段階Ｓ７で記憶された直前のブロックサイズ情報の値より減少した場合に、前記送信電力増加段階Ｓ５での前記送信電力増加要求の送信を停止させると共に、前記移動通信端末１１の送信電力を予め定められた量で減少させる送信電力減少要求を前記移動通信端末１１に送信する最大出力電力状態決定段階Ｓ８、Ｓ９とを含むことを特徴とする。【０１０２】
図２は、本発明の第１実施形態による移動通信端末の送信電力制御方法を遂行する送信電力制御装置１７の概略構成を説明するために示すブロック図である。【０１０３】
すなわち、第１実施形態による移動通信端末の送信電力制御装置の基本的な構成は、複数の物理チャネル９の情報を符号分割多重接続を用いて基地局と情報交換を行う移動通信端末１１から出力される前記複数の物理チャネル９それぞれの送信電力の合計電力を予め定められた最大出力電力を超えないように予め定められた特定の物理チャネルで送信可能なデータのブロックサイズを調整することにより制御する通信方式における、前記移動通信端末１１からの送信電力の出力状態を前記最大出力電力となるように、当該移動通信端末に前記基地局に代えて接続された試験装置１２で設定する送信電力制御装置であって、前記移動通信端末１１から前記試験装置１２へ送信される前記複数の物理チャネルの種類を前記試験装置１７から前記移動通信端末１１に送信設定する使用チャネル設定部２０と、前記移動通信端末１１から送信される前記複数の物理チャネルのうち、予め定められた第１の物理チャネルの送信可能な最大送信電力を前記試験装置１２から前記移動通信端末１１に送信設定する最大送信電力設定部２１と、前記移動通信端末１１から送信される前記複数の物理チャネルのうち前記第１の物理チャネル以外の各物理チャネル間の送信電力の比率を前記試験装置１２から前記移動通信端末１１に送信設定する送信電力比設定部２２と、前記試験装置１２と前記移動通信端末１１との間の通信を確立すると共に、前記移動通信端末１１に対し予め定められている最大でない送信電力状態になるように送信電力を前記試験装置１２から前記移動通信端末１１に送信設定する通信確立部２４と、前記移動通信端末１１に対して該移動通信端末１１の送信電力を前記最大でない送信電力状態から予め定められた量で増加させる送信電力増加要求を予め定められた間隔で継続して前記試験装置１２から送信する送信電力増加部２３と、前記送信電力増加部２３の前記予め定められた間隔での前記送信電力増加要求の送信毎に対する前記移動通信端末１１からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部２５と、前記ブロックサイズ抽出部２５で抽出されたブロックサイズ情報を少なくとも１回分記憶する記憶部２６と、前記ブロックサイズ抽出部２５で新たに抽出されたブロックサイズ情報の値と前記記憶部２６で記憶された直前のブロックサイズ情報の値とを比較し、前記新たに抽出されたブロックサイズ情報の値が前記記憶部２６で記憶された直前のブロックサイズ情報の値より減少した場合には、前記送信電力増加部２３での前記送信電力増加要求の送信を停止させると共に、前記移動通信端末１１の送信電力を予め定められた量で減少させる送信電力減少要求を前記移動通信端末１１に送信する最大出力電力状態決定部２７とを備えたことを特徴とする。【０１０４】
具体的には、この送信電力制御装置１７は、前述したように、擬似基地局装置（試験装置）１２内の最大出力電力測定部１６内に組込まれている。【０１０５】
例えば、コンピュータ等の情報処理装置からなる送信電力制御装置１７内には、移動通信端末１１へ図２８に示す所定の物理チャネル１０が組込まれた下り信号（downlink）を送信する送信部１８、移動通信端末１１から出力された図２８に示す５個の物理チャネル９が組込まれた上り信号（uplink）を受信する受信部１９が設けられている。【０１０６】
さらに、この送信電力制御装置１７内には、使用チャネル設定部２０、最大送信電力設定部２１、送信電力比設定部２２、送信電力増加部２３、通信確立部２４、ブロックサイズ抽出部２５、ブロックサイズメモリ２６、最大出力電力状態決定部２７、及び表示器２８が設けられている。【０１０７】
図３の（ａ）、（ｂ）は、本発明が適用される移動通信端末と擬似基地局装置（試験装置）との通信における下り信号に含まれる制御チャネル及びデータチャネルのフォーマットを説明するために示すフレーム構成図である。【０１０８】
ここで、図３の（ａ）は、下り信号に含まれる制御チャネルＤＰＣＣＨのフレーム構成（１フレーム１０ｍｓ、３８４００チップ）を示している。【０１０９】
すなわち、図３の（ａ）に示すように、一つの移動通信端末１１に対して、制御チャネルＤＰＣＣＨの１ブロック（＃０−＃１４）２９は、１０ｍｓ毎に１回の割合で送受信され、１ブロック２９のＤＰＣＣＨ内には、Ｐｉｌｏｔ３０、ＴＦＣＩ（Transport Format Combination Indicator；転送量情報）３１、ＦＢＩ(Feedback Information)３２、ＴＰＣ（Transmit Power Control：送信電力制御）３３が含まれる。これらの各情報の詳細は後述する。【０１１０】
なお、図３の（ａ）で示した制御チャネルＤＰＣＣＨのフォーマットにおいて、ＴＰＣ３３部分のみを送付するための特別のチャネルＦ−ＤＰＣＨ(Fractional-Dedicated Physical Channel)も規定されている。【０１１１】
また、図３の（ｂ）は、下り信号に含まれるデータチャネルＤＰＤＣＨのフレーム構成（１フレーム１０ｍｓ、３８４００チップ）を示している。【０１１２】
すなわち、図３の（ｂ）に示すように、データチャネルＤＰＤＣＨの１ブロック（＃０−＃１４）２９は、１０ｍｓ毎に１回の割合で送受信され、１ブロック２９のＤＰＤＣＨ内には、データ３４がある。【０１１３】
次に、使用チャネル設定部２０、最大送信電力設定部２１、送信電力比設定部２２の構成及び動作を説明する。【０１１４】
この実施形態による送信電力制御装置１７においては、移動通信端末１１から出力される上り信号（uplink）の５個の物理チャネル９の各送信電力を、試験装置１２から移動通信端末１１へ出力される下り信号（downlink）の２個のチャネルＤＰＤＣＨ、Ｅ−ＡＧＣＨを用いて指定することが可能である。【０１１５】
図４は、本発明が適用される移動通信端末から出力される上り信号の５個の物理チャネル９の各送信電力を、疑似基地局装置（試験装置）１２から移動通信端末１１へ出力される下り信号の２個のチャネルＤＰＤＣＨ、Ｅ−ＡＧＣＨを用いて指定する際に用いられる各物理チャネルの電力値、波高値（Amplitude Value ）、指定値を説明するために示す設定テーブルである。【０１１６】
具体的には、図４の設定テーブルに示すように、ＤＰＣＣＨに対しては、波高値βc がそのまま疑似基地局装置（試験装置）１２からの指定値となり、ＤＰＤＣＨに対しては、波高値βd がそのまま疑似基地局装置（試験装置）１２からの指定値となる。【０１１７】
また、図４の設定テーブルに示すように、ＨＳ−ＤＰＣＣＨに対しては、当該制御チャネルの波高値βhsとＤＰＣＣＨの波高値βc との波高比（Amplitude Ratio ）Ａhs＝（βhs／βc ）の状態が疑似基地局装置（試験装置）１２からの指定値となる。【０１１８】
また、図４の設定テーブルに示すように、Ｅ−ＤＰＣＣＨに対しては、当該制御チャネルの波高値βecとＤＰＣＣＨの波高値βc との波高比Ａec＝（βec／βc ）の状態が疑似基地局装置（試験装置）１２からの指定値となる。【０１１９】
また、図４の設定テーブルに示すように、Ｅ−ＤＰＤＣＨに対しては、当該データチャネルの波高値βedとＤＰＣＣＨの波高値βc との波高比（βed／βc ）の２乗で示される電力比（Power Ratio)（Ａed）２＝（βed／βc ）２の状態が疑似基地局装置（試験装置）１２からの指定値となる。【０１２０】
例えば、ＤＰＣＣＨに対して波高値βc ＝１１／１５と与えられ、ＤＰＤＣＨに対して波高値βd ＝１５／１５と与えられ、ＨＳ−ＤＰＣＣＨに対して波高比Ａhs＝（βhs／βc ）＝２２／１５と与えられ、Ｅ−ＤＰＣＣＨに対して波高比Ａec＝（βec／βc ）＝１９／１５と与えられる。【０１２１】
これらのＥ−ＤＰＤＣＨ以外の各指示値βc 、βd 、（βhs／βc ）、（βec／βc ）が、試験開始に先だって、試験装置１２からの下り信号（downlink）のデータチャネルＤＰＤＣＨにメッセージの情報として設定される。【０１２２】
移動通信端末１１は、試験装置１２からの下り信号（downlink）のデータチャネルＤＰＤＣＨにメッセージとして設定された各指示値βc 、βd 、（βhs／βc ）、（βec／βc ）に基づいて、上り信号（uplink）の対応する各物理チャネルの電力比を設定する。【０１２３】
これは、３ＧＰＰ規格である非特許文献３の３ＧＰＰ  ＴＳ２５．２１４の「 5.1.2.2 Ordinary transmit power control」の記述に基づいて行われる。
【非特許文献３】３ＧＰＰ  ＴＳ２５．２１４  V6.10.0(2006-09)
【０１２４】
次に、Ｅ−ＤＰＤＣＨの波高値βedとＤＰＣＣＨの波高値βc との波高比の２乗で示される電力比（Ａed）２＝（βed／βc ）２の電力設定を説明する。【０１２５】
このデータチャネルＥ−ＤＰＤＣＨに許容できる最大送信電力に対応する電力比（Ａed）２＝（βed／βc ）２を用いるＥ−ＤＰＤＣＨの最大電力比を指定する。【０１２６】
そして、下り信号（downlink）の制御チャネルＥ−ＡＧＣＨにて指定されるＥ−ＤＰＤＣＨの最大送信電力の電力比（Ａed）２＝（βed／βc ）２を受信する移動通信端末１１は、Ｅ―ＤＰＤＣＨに対する対ＤＰＣＣＨ波高比（βed／βc ）を全Ｅ−ＴＦＣＩ（Enhances-Transport Format Combination Indicator ）番号（コード）に対して補間する。【０１２７】
例えば、図５に示すテーブル３９が試験装置から与えられる。【０１２８】
図５は、本発明が適用される移動通信端末が下り信号の制御チャネルＥ−ＡＧＣＨにて指定されるＥ−ＤＰＤＣＨの最大送信電力の電力比（Ａed）２＝（βed／βc ）２を受信することにより、Ｅ−ＤＰＤＣＨに対する対ＤＰＣＣＨ波高比（βed／βc ）を全Ｅ−ＴＦＣＩ番号（コード）に対して補間する際に用いられる波高比とＥ−ＴＦＣＩ番号との関係を説明するために示すテーブルである。【０１２９】
これは３ＧＰＰ規格である非特許文献３の３ＧＰＰ  ＴＳ２５．２１４の「5.1.2.5B.2 E-DPDCH/DPCCH」の規定に基づく補間を行う際に用いられるテーブルである。【０１３０】
この補間により、全てのＥ−ＴＦＣＩ、すなわち、ブロックサイズに対して、その送信時に使用するべき対ＤＰＣＣＨ波高比を補間して算出する。【０１３１】
このようにして、試験装置１２は、試験装置１２からの下り信号（downlink）の制御チャネルＥ−ＡＧＣＨを用いて、移動通信端末１１からの上り信号（uplink）のデータチャネルＥ−ＤＰＤＣＨの最大送信電力を設定する。【０１３２】
このＥ−ＤＰＤＣＨの最大送信電力は、後述する図９の時刻ｔＡにおける「適正調整状態」に示すように、上り信号を構成する５個の各物理チャネルの送信電力のＤＰＣＣＨとの電力比が初期設定した値を維持した条件で、５個の各物理チャネルの合計の送信電力が、この移動通信端末１１の最大出力電力ＰＭＡＸに達した時点におけるＥ−ＤＰＤＣＨの電力値である。【０１３３】
例えば、（βed/ βc ）２＝（１１９／１５）２を最大送信電力に対応する電力比とする場合、３ＧＰＰ規格である非特許文献４の３ＧＰＰ  ＴＳ２５．２１２の「 4.10.1A.1 Table 16B:Mapping of Absolute Grant Value」の規定に基づき、Ｅ−ＡＧＣＨ（実際の値）は(119/15)の２乗であるＩｎｄｅｘ値”２０”を設定する。
【非特許文献４】３ＧＰＰ  ＴＳ２５．２１２  V6.9.0(2006-09)
【０１３４】
図８は、各目標電力比（絶対許容値）とＩｎｄｅｘとの関係を規定するテーブル３８を示している。【０１３５】
すなわち、この図８は、本発明が適用される試験装置が下り信号の制御チャネルＥ―ＡＧＣＨを用いて、上り信号のデータチャネルＥ−ＤＰＤＣＨの最大送信電力を設定する際に用いられるインデックスと波高値としての各目標電力比（絶対許容値）との関係を規定するテーブル３８を示している。【０１３６】
このようにして、この電力設定処理を開始する前の、図９の「過小調整状態」である時刻ｔＳ時における、各物理チャネル９の各電力Ｐｃ、Ｐｄ、Ｐｈｓ、Ｐｅｃ、Ｐｅｄ、及びＥ−ＤＰＤＣＨの最大送信電力が試験装置１２から移動通信端末１１に設定される。【０１３７】
次に、図２における送信電力増加部２３の動作を説明する。【０１３８】
試験装置１２は、該試験装置１２から移動通信端末１１へ出力される下り信号（downlink）の制御チャネルＤＰＣＣＨのＴＰＣ（Transmit Power Control：送信電力制御）３３を用いて、移動通信端末１１からの上り信号（uplink）の送信電力の増加、減少、現状維持を送信電力増加部２３によって指定することが可能となされている。【０１３９】
図６は、本発明が適用される試験装置１２から移動通信端末１１へ出力される下り信号の制御チャネルＤＰＣＣＨのＴＰＣを用いて、移動通信端末１１の上り信号の送信電力の増加、減少、現状維持を指定する際に用いられるＤＰＣＣＨのＴＰＣコマンドを説明するために示すテーブルである。【０１４０】
すなわち、図６に示すように、ＴＰＣ３３は、論理（アルゴリズム）モード１と論理（アルゴリズム）モード２とを有している。【０１４１】
この実施形態による送信電力制御装置１７においては、論理（アルゴリズム）モード２が採用されている。【０１４２】
そして、試験装置１２によりモード２を選択して、送信電力増加部２３によって「１１１１１」コマンドを指定すると、移動通信端末１１は上り信号の制御チャネルＤＰＣＣＨの送信電力を前回コマンドを受信の状態に比較して１単位増加する。【０１４３】
また、試験装置１２によりモード２を選択して、送信電力増加部２３によって「０００００」コマンドを指定すると、移動通信端末１１は上り信号の制御チャネルＤＰＣＣＨの送信電力を前回コマンド受信の状態に比較して１単位減少する。この１単位の実際の値は予め設定しておく。【０１４４】
さらに、試験装置１２によりモード２を選択して、送信電力増加部２３によって「０００００」、「１１１１１」以外のコマンドを指定すると、移動通信端末１１は上り信号の制御チャネルＤＰＣＣＨの送信電力を前回コマンド受信の送信電力に維持（現状維持）する。【０１４５】
前述したように、制御チャネルＤＰＣＣＨを含む各物理チャネルは１０ｍｓ周期で送受信されるので、試験装置１２の送信電力増加部２３による送信電力の増加、減少、現状維持の指示は、例えば、１０ｍｓ周期で移動通信端末１１に与えられる。【０１４６】
そして、試験装置１２の送信電力増加部２３による送信電力の増加、減少、現状維持の指示を受領した移動通信端末１１は、図９における過小調整状態に示すように、その時点におけるＴＰＣコマンドに従いＤＰＣＣＨの電力を単位電力だけ増加、減少（あるいは現状維持）させる。【０１４７】
このＤＰＣＣＨの電力の増加、減少（あるいは現状維持）に従い、他の物理チャネル（ＤＰＤＣＨ、ＨＳ−ＤＰＣＣＨ、Ｅ−ＤＰＣＣＨ、Ｅ−ＤＰＤＣＨ）の各電力が前述した初期設定によるＤＰＣＣＨに対する波高比になるように調整される。ここで、電力比は波高比の２乗である。【０１４８】
なお、Ｅ−ＤＰＤＣＨも予め与えておいたＤＰＣＣＨに対する電力比になるように調整される。すなわち、全部の物理チャネルの電力が増加する。【０１４９】
移動通信端末１１は、調整した結果、上り信号（uplink）を構成する５個の物理チャネルの総電力が移動通信端末１１に設定されている最大出力電力ＰＭＡＸを超える場合、図９における「過大調整状態」に示すように、Ｅ−ＤＰＤＣＨの電力比を移動通信端末１１の最大出力電力ＰＭＡＸを超えないように調整する。【０１５０】
この調整結果をもってしても移動通信端末１１の最大出力電力ＰＭＡＸを超える場合、移動通信端末１１は、Ｅ−ＤＰＤＣＨの送信を停止し、Ｅ−ＤＰＤＣＨ以外の物理チャネルを予め与えておいたＤＰＣＣＨに対する波高比でかつ、移動通信端末１１の最大出力電力ＰＭＡＸになるように調整する。【０１５１】
次に、図２におけるブロックサイズ抽出部２５について説明する。【０１５２】
図７の（ａ）は、本発明が適用される移動通信端末１１から出力される上り信号に含まれるＥ−ＤＰＣＣＨのブロック構成を説明するために示す図である。【０１５３】
この図７の（ａ）に示すように、Ｅ−ＤＰＣＣＨの１ブロック（１０ビット）には、転送量情報Ｅ−ＴＦＣＩ（７ビット）３５と、Ｈａｐｐｙ  Ｂｉｔ（１ビット）と、ＲＳＨ（２ビット）とが含まれている。【０１５４】
図７の（ｂ）は、本発明が適用される移動通信端末１１から出力される上り信号に含まれるＥ−ＤＰＣＣＨのＥ−ＴＦＣＩに、現在時点で、上り信号に含まれるＥ−ＤＰＤＣＨの送信電力に対応するブロックサイズを特定できるＥ−ＴＦＣＩ番号が自動的に書込まれる際に用いられるＥ−ＤＰＣＣＨのＥ−ＴＦＣＩ番号及び送信ブロックサイズとの関係を説明するために示すＥ−ＴＦＣＩ番号テーブル３５ａである。【０１５５】
まず、移動通信端末１１から出力される上り信号（uplink）に含まれるＥ−ＤＰＣＣＨのＥ―ＴＦＣＩ３５に、現在時点で、上り信号（uplink）に含まれるＥ−ＤＰＤＣＨの送信電力に対応するブロックサイズを特定できるＥ−ＴＦＣＩ番号（以下ブロックサイズ情報という）が図７の（ｂ）に基づいて自動的に書込まれる。【０１５６】
ここで、Ｅ−ＴＦＣＩ番号とブロックサイズとは、図７の（ｂ）に示すＥ−ＴＦＣＩ番号テーブル３５ａにて与えられる。【０１５７】
その結果、試験装置１２は、受信部１９を介して１０ｍｓの周期で移動通信端末１１から出力される上り信号（uplink）に含まれるＥ−ＤＰＤＣＨの送信電力に対応するブロックサイズ情報を受信する度に、ブロックサイズ抽出部２５でブロックサイズ情報を抽出すると共に、ＴＰＣコマンドと対応付けるため、ＴＰＣコマンド送信直後に受信した最新の１回のブロックサイズ情報をブロックサイズメモリ２６へ書込む。【０１５８】
次に、図２における最大出力電力状態決定部２７は、ＴＰＣコマンド送信の周期に対応して順次ブロックサイズ抽出部２５で抽出されるブロックサイズ情報の値をブロックサイズメモリ２６に記憶されている１回前のブロックサイズ情報の値と比較することにより、新たに抽出されるブロックサイズ情報の値が１回前に抽出されたブロックサイズ情報の値より減少した場合には、ＤＰＣＣＨのＴＰＣコマンドに図６に示す「０００００」を設定して、送信電力増加部２３及び送信部１８を介して移動通信端末１１に送信することにより、移動通信端末１１から出力される各物理チャネルの送信電力を、１単位減少させて、１回前の状態に戻す。【０１５９】
その後、最大出力電力状態決定部２７は、図６に示すＤＰＣＣＨのＴＰＣコマンドに「１１１１１」、「０００００」以外のコードを設定して、それを送信電力増加部２３及び送信部１８を介して移動通信端末１１に送信することにより、移動通信端末１１から出力される各物理チャネルの送信電力の変更を停止させて、各物理チャネルの送信電力を現状維持させる。【０１６０】
なお、ＤＰＣＣＨのＴＰＣコマンドへのコードの設定は、最大出力電力状態決定部２７の指示により送信電力増加部２３が行う構成でもよい。【０１６１】
そして、最大出力電力状態決定部２７は、表示器２８に、図９の時刻ｔＡの「適正調整状態」における最大出力電力状態達成を表示させる。【０１６２】
図１０は、この第１実施形態の送信電力制御装置１７の全体動作を説明するために示すフローチャートである。【０１６３】
先ず、使用チャネル設定部２０が、送信部１８を介して移動通信端末１１に、使用する物理チャネルの種類を設定する（ステップＳ１）。【０１６４】
次に、最大送信電力設定部２１及び送信電力比設定部２２が、送信部１８を介して移動通信端末１１に対して、ＤＰＤＣＨ、Ｅ−ＡＧＣＨを用いて、使用する各物理チャネルの波高比及びＥ−ＤＰＤＣＨの最大送信電力比を設定する（ステップＳ２）。【０１６５】
次に、通信確立部２４が、送信部１８及び受信部１９を介して、移動通信端末１１と試験装置１７間で、移動通信端末１１に設定した物理チャネル構成で通信を確立する（ステップＳ３）。【０１６６】
更に、通信確立部２４によって、移動通信端末１１が図９の時刻ｔＳで示す、「過小調整状態」である最大でない送信電力状態になるように移動通信端末１１の送信電力が調整（設定）される（ステップＳ４）。【０１６７】
以上の初期設定が終了すると、送信電力増加部２３は、送信部１８を介して、移動通信端末１１に対し、ＤＰＣＣＨを用いて、送信電力増加信号を１単位送信する（ステップＳ５）。【０１６８】
次に、ブロックサイズ抽出部２５は、受信部１９を介して、移動通信端末１１の送信に対応したＥ−ＤＰＤＣＨに対するＥ−ＤＰＣＣＨからＥ−ＤＰＤＣＨのブロックサイズ情報を抽出する（ステップＳ６）。【０１６９】
次に、ブロックサイズメモリ（記憶部）２６は、この抽出したブロックサイズ情報を記憶する（ステップＳ７）。【０１７０】
次に、最大出力電力状態決定部２７は、ブロックサイズ抽出部２５によって今回抽出されたブロックサイズ情報の値と前回抽出されたブロックサイズ情報の値とを比較し、今回抽出したブロックサイズ情報の値が前回抽出されたブロックサイズ情報の値より小さくない場合には（ステップＳ８−ＮＯ）、ステップＳ５に戻り、移動通信端末１１に対し、送信電力増加部２３及び送信部１８を介して送信電力増加信号を１単位送信させる。【０１７１】
また、最大出力電力状態決定部２７は、先の比較結果として、今回抽出されたブロックサイズ情報の値が前回抽出されたブロックサイズ情報の値より小さい場合には（ステップＳ８−ＹＥＳ）、移動通信端末１１に対し、送信電力増加部２３及び送信部１８を介して送信電力減少信号を１単位送信させる（ステップＳ９）。【０１７２】
これで、移動通信端末１１から出力される上り信号（uplink）の全体の送信電力が、各物理チャネル間の送信電力比が規定された状態で、この移動通信端末１１に設定された最大出力電力ＰＭＡＸ状態に移行したので、試験装置１２としての最大出力電力測定部１６は、電力測定装置１３で移動通信端末１１から出力されている実際の電力を測定する。【０１７３】
図１１は、本発明が適用される第１実施形態の送信電力制御装置の全体動作を説明するために示すタイミングチャートであって、Ｅ−ＤＰＤＣＨの電力が過大調整状態になったことを示すＥ−ＴＦＣＩ番号（値）と、移動通信端末１１の合計の送信電力との関係を説明するために示す図である。【０１７４】
すなわち、送信電力制御装置１７が制御を開始してから、合計の送信電力が最大出力電力に達するまでは、Ｅ−ＴＦＣＩ番号（値）が図１１において図示実線で示すように一定であるので、Ｅ−ＤＰＤＣＨの電力は図１１において図示破線で示すように合計の送信電力の上昇に対応して上昇する。【０１７５】
しかるに、合計の送信電力が最大出力電力に達すると、ブロックサイズを示すＥ−ＴＦＣＩ番号（値）が減少する。【０１７６】
このＥ−ＴＦＣＩ番号（値）が減少するタイミング、すなわちこのＥ−ＤＰＤＣＨの電力を１単位減少させるタイミングを検知することにより、Ｅ−ＤＰＤＣＨの電力が最大出力電力と所定の許容幅を含んで等価となるタイミングを検知することができる。【０１７７】
図９は、本発明が適用される移動通信端末１１から出力される上り信号（uplink）に含まれる５個の物理チャネル（ＤＰＣＣＨ、ＤＰＤＣＨ、ＨＳ−ＤＰＣＣＨ、Ｅ−ＤＰＣＣＨ、Ｅ−ＤＰＤＣＨ）の各電力値Ｐｃ、Ｐｄ、Ｐｈｓ、Ｐｅｃ、Ｐｅｄの変化を示す図である。【０１７８】
すなわち、図９に示すように、制御を開始してから、合計の送信電力が最大出力電力に達するまでの「過小調整状態」においては、各電力値Ｐｃ、Ｐｄ、Ｐｈｓ、Ｐｅｃ、Ｐｅｄは初期設定された電力比を維持した状態で上昇していく。【０１７９】
また、図９に示すように、合計の送信電力が最大出力電力に達した時点（「適正調整状態」）以降の「過大調整状態」においては、各電力値Ｐｃ、Ｐｄ、Ｐｈｓ、Ｐｅｃは初期設定された電力比を維持した状態で上昇していく。【０１８０】
これに対し、図９に示すように、「適正調整状態」以降の「過大調整状態」において、Ｅ−ＤＰＤＣＨの電力値Ｐｅｄのみが電力値Ｐｅｄ’に低下する。【０１８１】
すなわち、これはＥ−ＤＰＤＣＨのデータブロックが減少し、電力が抑制された状態となることにより、合計の送信電力が最大出力電力ＰＭＡＸ状態を維持することを示している。【０１８２】
したがって、この第１実施形態による移動通信端末の送信電力制御装置１７においては、試験装置１２から試験対象の移動通信端末１１に対して、この移動通信端末１１の送信電力を所定間隔で所定量ずつ増加させていく過程でＥ−ＤＰＤＣＨの電力量変化の特異点をデータブロックのサイズを示すＥ−ＴＦＣＩ番号（値）で検出することにより、移動通信端末１１において各物理チャネル間の送信電力比が規定された状態で、この移動通信端末１１に設定された最大出力電力の状態を短時間で、かつ正確に実現することができる。【０１８３】
この場合、Ｅ−ＤＰＤＣＨの電力量変化の特異点をデータブロックのサイズを示すＥ−ＴＦＣＩ番号（値）で検出することにより、移動通信端末１１に設定された最大出力電力の状態を短時間で、かつ正確に実現することができる。【０１８４】
（第２実施形態）
図１３及び図１４は、本発明が適用される第２実施形態による移動通信端末の送信電力制御方法を遂行する送信電力制御装置の全体動作を説明するために示すフローチャートである。【０１８５】
すなわち、第２実施形態による移動通信端末の送信電力制御方法の基本的な構成は、複数の物理チャネルの情報を符号分割多重接続を用いて基地局と情報交換を行う移動通信端末１１から出力される前記複数の物理チャネル９それぞれの送信電力の合計電力を予め定められた最大出力電力を超えないように予め定められた特定の物理チャネルで送信可能なデータのブロックサイズを調整することにより制御する通信方式における、前記移動通信端末（１１）からの送信電力の出力状態を前記最大出力電力となるように、当該移動通信端末に前記基地局に代えて接続された試験装置（１２）で設定する移動通信端末の送信電力制御方法であって、前記移動通信端末１１から前記試験装置１２へ送信される前記複数の物理チャネルの種類を前記試験装置１２から前記移動通信端末１１に送信設定する使用チャネル設定段階Ｑ１と、前記移動通信端末１１から送信される前記複数の物理チャネルのうち、予め定められた第１の物理チャネルの送信可能な最大送信電力を前記試験装置１２から前記移動通信端末１１に送信設定する最大送信電力設定段階Ｑ２と、前記移動通信端末１１から送信される前記複数の物理チャネルのうち前記第１の物理チャネル以外の各物理チャネル間の送信電力の比率を前記試験装置１２から前記移動通信端末１１に送信設定する送信電力比設定段階Ｑ２と、前記試験装置１２において、前記試験装置１２と前記移動通信端末１１との間の通信を確立する通信確立段階Ｑ３と、前記送信電力の合計電力が予め定められた最大出力電力に達した状態で、前記各物理チャネルの送信電力に対して調整が行われている過大調整状態に初期設定する過大調整状態設定段階Ｑ４と、前記移動通信端末１１に対して該移動通信端末１１の送信電力を前記過大調整状態から予め定められた量で減少させる送信電力減少要求を予め定められた間隔で継続して前記試験装置１２から送信する送信電力減少段階Ｑ５と、前記送信電力減少段階Ｑ５の前記予め定められた間隔での前記送信電力減少要求の送信毎に対する前記移動通信端末１１からの前記複数の物理チャネルを前記試験装置１２で受信して前記最大送信電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出段階Ｑ６と、前記試験装置１２において、前記ブロックサイズ抽出段階Ｑ６で抽出されたブロックサイズ情報を少なくとも１回分記憶する記憶段階Ｑ７と、前記試験装置１２において、前記ブロックサイズ抽出段階Ｑ６で新たに抽出されたブロックサイズ情報の値が予め設定された設定値を越えたか否かを判定するブロックサイズ情報判定段階Ｑ８と、前記試験装置１２において、前記ブロックサイズ情報判定段階Ｑ８で前記新たに抽出されたブロックサイズ情報の値が前記予め設定された設定値を越えた場合に、前記新たに抽出されたブロックサイズ情報の値と前記記憶段階Ｑ７で記憶された直前のブロックサイズ情報の値とを比較し、前記新たに抽出されたブロックサイズ情報の値が前記記憶段階Ｑ７で記憶された直前のブロックサイズ情報の値に等しくなった場合に、前記送信電力減少段階Ｑ５での前記送信電力減少要求の送信を停止させると共に、前記移動通信端末１１の送信電力を予め定められた量で増加させる送信電力増加要求を前記移動通信端末１１に送信する最大出力電力状態決定段階Ｑ９、Ｑ１０とを含むことを特徴とする。【０１８６】
図１２は、本発明が適用される第２実施形態による移動通信端末の送信電力制御方法を遂行する送信電力制御装置３６の概略構成を説明するために示すブロック図である。【０１８７】
図１２において、図２に示した第１実施形態による移動通信端末の送信電力制御装置１７と同一部分には、同一符号を付して、重複する部分の詳細説明を省略する。【０１８８】
すなわち、第２実施形態による移動通信端末の送信電力制御装置の基本的な構成は、複数の物理チャネルの情報を符号分割多重接続を用いて基地局と情報交換を行う移動通信端末１１から出力される前記複数の物理チャネル９それぞれの送信電力の合計電力を予め定められた最大出力電力を超えないように予め定められた特定の物理チャネルで送信可能なデータのブロックサイズを調整することにより制御する通信方式における、前記移動通信端末１１からの送信電力の出力状態を前記最大出力電力となるように、当該移動通信端末に前記基地局に代えて接続された試験装置１２で設定する移動通信端末の送信電力制御装置であって、前記移動通信端末１１から前記試験装置１２へ送信される前記複数の物理チャネルの種類を前記試験装置１２から前記移動通信端末１１に送信設定する使用チャネル設定部２０と、前記移動通信端末１１から送信される前記複数の物理チャネルのうち、予め定められた第１の物理チャネルの送信可能な最大送信電力を前記試験装置１２から前記移動通信端末１１に送信設定する最大送信電力設定部２１と、前記移動通信端末１１から送信される前記複数の物理チャネルのうち前記第１の物理チャネル以外の各物理チャネル間の送信電力の比率を前記試験装置１２から前記移動通信端末１１に送信設定する送信電力比設定部２２と、前記試験装置１２と前記移動通信端末１１との間の通信を確立する通信確立部２４と、前記送信電力の合計電力が予め定められた最大出力電力に達した状態で、前記各物理チャネルの送信電力に対して調整が行われている過大調整状態に初期設定する過大調整状態設定部３７と、前記移動通信端末１１に対して該移動通信端末１１の送信電力を前記過大調整状態から予め定められた量で減少させる送信電力減少要求を予め定められた間隔で継続して前記試験装置１７から送信する送信電力減少部２３ａと、前記送信電力減少部２３ａの前記予め定められた間隔での前記送信電力減少要求の送信毎に対する前記移動通信端末１１からの前記複数の物理チャネルを受信して前記最大出力電力と前記第１の物理チャネルに設定された前記送信可能な最大送信電力と前記複数の物理チャネルのうち前記第１の物理チャネル以外の各物理チャネルそれぞれの送信電力の合計電力とで定まる送信可能なデータのブロックサイズを示すブロックサイズ情報を予め定められた第２の物理チャネルから抽出するブロックサイズ抽出部２５と、前記ブロックサイズ抽出部２５で抽出されたブロックサイズ情報を少なくとも１回分記憶する記憶部２６と、前記ブロックサイズ抽出部２５で新たに抽出されたブロックサイズ情報の値が予め設定された設定値を越えたか否かを判定すると共に、前記新たに抽出されたブロックサイズ情報の値が前記予め設定された設定値を越えた場合に、前記新たに抽出されたブロックサイズ情報の値と前記記憶部２６で記憶された直前のブロックサイズ情報の値とを比較し、前記新たに抽出されたブロックサイズ情報の値が前記記憶部２６で記憶された直前のブロックサイズ情報の値に等しくなった場合に、前記送信電力減少部２３ａでの前記送信電力減少要求の送信を停止させると共に、前記移動通信端末１１の送信電力を予め定められた量で増加させる送信電力増加要求を前記移動通信端末１１に送信する最大出力電力状態決定部２７ａとを備えたことを特徴とする。【０１８９】
具体的には、図１２に示す第２実施形態による送信電力制御装置３６においては、前述した図２に示す第１実施形態による送信電力制御装置１７と異なるのは、送信電力増加部２３に代えて送信電力減少部２３ａが用いられていると共に、新たに過大調整状態設定部３７が設けられている点である。【０１９０】
この過大調整状態設定部３７は、移動通信端末１１に対して送信電力制御の開始に先立って、この移動通信端末１１の各物理チャネル（ＤＰＣＣＨ、ＤＰＤＣＨ、ＨＳ−ＤＰＣＣＨ、Ｅ−ＤＰＣＣＨ、Ｅ−ＤＰＤＣＨ）の各電力値Ｐｃ、Ｐｄ、Ｐｈｓ、Ｐｅｃ、Ｐｅｄを、図９における「過大調整状態」に初期設定する。【０１９１】
具体的には、試験装置３６の過大調整状態設定部３７及び送信部１８を介して移動通信端末１１へ出力される下り信号（downlink）の制御チャネルＤＰＣＣＨのＴＰＣに図６に示した「１１１１１」コマンドを繰り返し指定して、移動通信端末１１の送信電力を強制的に上昇させる方法などがある。【０１９２】
送信電力減少部２３ａは、送信部１８を介して移動通信端末１１へ出力される下り信号（downlink）の制御チャネルＤＰＣＣＨのＴＰＣで図６に示した「０００００」コマンドを所定の周期で指定して、移動通信端末１１の送信電力を順次低下させていく。【０１９３】
最大出力電力状態決定部２７ａは、受信部１９を介してブロックサイズ抽出部２５でＴＰＣコマンド送信の周期に対応して新たに抽出されるブロックサイズ情報の値が予め設定された設定値を越えたか否かを判定すると共に、前記新たに抽出されたブロックサイズ情報の値が前記予め設定された設定値を越えた場合に、前記新たに抽出されたブロックサイズ情報の値とブロックサイズメモリ２６に記憶されている１回前のブロックサイズ情報の値と比較することにより、新たに抽出されるブロックサイズ情報の値が１回前に抽出されたブロックサイズ情報の値と等しくなった場合、すなわち、ブロックサイズ情報の番号上昇が停止した場合には、送信電力減少部２３ａ及び送信部１８を介してＤＰＣＣＨのＴＰＣコマンドに図６に示した「１１１１１」を設定して、移動通信端末１１の各物理チャネルの送信電力を、１単位増加させることにより、１回前の状態に戻す。【０１９４】
その後、最大出力電力状態決定部２７ａは、送信電力減少部２３ａ及び送信部１８を介してＤＰＣＣＨのＴＰＣコマンドに図６に示した「１１１１１」、「０００００」以外のコードを設定して移動通信端末１１の各物理チャネルの送信電力の変更を停止させることにより、移動通信端末１１の各物理チャネルの送信電力を現状維持させる。【０１９５】
そして、最大出力電力状態決定部２７ａは、表示器２８に、図９の時刻ｔＡの「適正調整状態」における最大出力電力状態達成を表示させる。【０１９６】
次に、図１３、図１４を参照して、この第２実施形態による移動通信端末送信の電力制御装置３６の全体動作について説明する。【０１９７】
先ず、使用チャネル設定部２０が、移動通信端末１１に、使用する物理チャネルの種類を設定する（ステップＱ１）。【０１９８】
次に、最大送信電力設定部２１及び送信電力比設定部２２が、送信部１８を介して移動通信端末１１に対して、ＤＰＤＣＨ、Ｅ−ＡＧＣＨを用いて、使用する各物理チャネルの波高比及びＥ−ＤＰＤＣＨの最大送信電力比を設定する（ステップＱ２）。【０１９９】
次に、通信確立部２４が、送信部１８及び受信部１９を介して、移動通信端末１１と試験装置間で、移動通信端末１１に設定した物理チャネル構成で通信を確立する（ステップＱ３）。【０２００】
次に、過大調整状態設定部３７が、移動通信端末１１が図９の時刻ｔＥで示す、「過大調整状態」である最大出力状態になるように移動通信端末１１の送信電力を調整する（ステップＱ４）。【０２０１】
以上の初期設定が終了すると、送信電力減少部２３ａは、送信部１８を介して、移動通信端末１１に対し、ＤＰＣＣＨを用いて、送信電力減少信号を１単位送信する（ステップＱ５）。【０２０２】
次に、ブロックサイズ抽出部２５は、受信部１９を介して、移動通信端末１１の送信に対応したＥ−ＤＰＤＣＨに対するＥ−ＤＰＣＣＨからＥ−ＤＰＤＣＨのブロックサイズ情報を、Ｅ−ＴＦＣＩ番号（値）として抽出する（ステップＱ６）。【０２０３】
次に、ブロックサイズメモリ（記憶部）２６は、この抽出したブロックサイズ情報を記憶する（ステップＱ７）。【０２０４】
次に、最大出力電力状態決定部２７は、ブロックサイズ抽出部２５によって今回抽出されたブロックサイズ情報の値が予め設定された設定値を越えたか否かを判定する（ステップＱ８）と共に、この判定結果が今回抽出されたブロックサイズ情報の値が予め設定された設定値を越えない場合（ステップＱ８−ＮＯ）には、ステップＱ５に戻り、移動通信端末１１に対し、送信電力減少部２３ａ及び送信部１８を介して、送信電力減少信号を１単位送信する。【０２０５】
次に、最大出力電力状態決定部２７は、先の判定結果が今回抽出されたブロックサイズ情報の値が予め設定された設定値を越えた場合（ステップＱ８−ＹＥＳ）に、今回抽出されたブロックサイズ情報の値と前回抽出したブロックサイズ情報の値とを比較（ステップＱ９）し、この比較結果が今回抽出されたブロックサイズ情報の値と前回抽出したブロックサイズ情報の値と等しくない場合（ステップＱ９−ＮＯ）には、ステップＱ５に戻り、移動通信端末１１に対し、送信電力減少部２３ａ及び送信部１８を介して、送信電力減少信号を１単位送信する。【０２０６】
次に、最大出力電力状態決定部２７は、先の比較結果が今回抽出されたブロックサイズ情報の値と前回抽出したブロックサイズ情報の値と等しくなった場合（ステップＱ９−ＹＥＳ）には、前記送信電力減少段階（Ｑ５）での前記送信電力減少要求の送信を停止させると共に、移動通信端末１１に対し、送信電力減少部２３ａ及び送信部１８を介して送信電力増加信号を１単位送信する（ステップＱ１０）。【０２０７】
これで、移動通信端末１１から出力される上り信号（uplink）の全体の送信電力が、各物理チャネル間の送信電力比が規定された状態で、この移動通信端末１１に設定された最大出力電力ＰＭＡＸ状態に移行したので、図１の最大出力電力測定部１６は、電力測定装置１３で移動通信端末１１から出力されている実際の電力を測定する。【０２０８】
図１５は、本発明が適用される第２実施形態による移動通信端末の送信電力制御装置の全体動作を説明するために示すタイミングチャートである。【０２０９】
すなわち、図１５は、Ｅ−ＤＰＤＣＨの電力が過大調整状態となったことを示すＥ−ＴＦＣＩ番号（値）と、移動通信端末１１の合計の送信電力との関係を示している。【０２１０】
この実施形態においては、制御を開始する時点では、図９における「過大調整状態」であるため、合計の送信電力が図１５において破線で示すように既に最大出力電力状態であるので、Ｅ−ＤＰＤＣＨの電力は図１５において実線で示すように当該Ｅ−ＤＰＤＣＨに設定された最大送信電力を大きく下回っている。【０２１１】
これは、この時点では、Ｅ−ＴＦＣＩ番号（値）で示されるデータブロックサイズが減少していることを示している。【０２１２】
そして、出力電力減少の制御が開始されると、Ｅ−ＤＰＤＣＨ以外の各物理チャネルの電力が低下するので、Ｅ−ＤＰＤＣＨの電力が相対的に上昇する。【０２１３】
そして、Ｅ−ＤＰＤＣＨの電力が過大調整状態を示していたＥ−ＴＦＣＩ番号（値）が、予め設定されている設定値を越えて、合計の送信電力が最大出力電力に等しくなった時点で、Ｅ−ＴＦＣＩ番号（値）は前回の値と等しくなる。【０２１４】
このＥ−ＴＦＣＩ番号（値）が前回の値と等しくなるタイミング、すなわちこのＥ−ＤＰＤＣＨの電力を１単位増加させるタイミングを検知することにより、Ｅ−ＤＰＤＣＨの電力が最大出力電力と等価となるタイミングを検知することができる。【０２１５】
このように構成された第２実施形態による送信電力制御装置３６においても、試験装置１２から試験対象の移動通信端末１１に対して、この移動通信端末１１の送信電力を所定間隔で所定量ずつ減少させていく過程でＥ−ＤＰＤＣＨの電力量変化の特異点としてデータブロックサイズをＥ−ＴＦＣＩ番号（値）で検出することにより、先に説明した第１実施形態による送信電力制御装置１７と同様の作用効果を奏することが可能である。【０２１６】
（第３実施形態）
本発明の第３実施形態による移動通信端末の送信電力制御方法を遂行する送信電力制御装置について、図２０、図１６、及び図１７を用いて説明する。【０２１７】
図２０は、本発明が適用される第３実施形態による移動通信端末の送信電力制御方法を遂行する送信電力制御装置における主要部（ブロックサイズ抽出部２５ａ）の構成を説明するために示すブロック図である。【０２１８】
図１６は、本発明が適用される第３実施形態による移動通信端末の送信電力制御方法を遂行する送信電力制御装置における主要部の動作を説明するために示すフローチャートである。【０２１９】
図１７は、本発明が適用される第３実施形態による移動通信端末の送信電力制御方法を遂行する送信電力制御装置の主要部における動作を説明するために示すタイミングチャートである。【０２２０】
この第３実施形態による移動通信端末の送信電力制御装置は、図２に示す第１実施形態の送信電力制御装置１７とほぼ同一構成を有しており、送信電力増加部２３、ブロックサイズ抽出部２５及び最大出力電力状態決定部２７が異なるのみである。【０２２１】
したがって、以下では、第１実施形態の送信電力制御装置１７と異なる部分のみを説明するものとする。【０２２２】
この第３実施形態による送信電力制御装置におけるブロックサイズ抽出部２５ａは、図２０に示すように、受信部５０ａ、予備抽出部５０ｂ、比率算出部５０ｃ、及び決定部５０ｄで構成されている。【０２２３】
前述した第１実施形態の送信電力制御装置１７においては、図１０に示すフローチャートにおけるステップＳ４において、移動通信端末１１を「過小調整状態」である最大でない送信電力状態になるように移動通信端末１１の送信電力を調整した後、移動通信端末１１に対し、ＤＰＣＣＨを用いて、送信電力増加信号を１０ｍｓ周期で送信して、移動通信端末１１の送信に対応した一つのＥ−ＤＰＤＣＨに対するＥ−ＤＰＣＣＨからＥ−ＤＰＤＣＨのブロックサイズ情報を抽出して、この抽出したブロックサイズ情報を送信電力増加信号に対応するブロックサイズ情報として記憶するようにしている。【０２２４】
これに対して、この第３実施形態による送信電力制御装置においては、図１７のタイミングチャートに示すように、送信電力制御装置１７から移動通信端末１１へ１０ｍｓ周期で送信する下り信号のＤＰＣＣＨに、毎回、送信電力増加要求４０を設定するのではなく、例えば、５０回（５００ｍｓ）に１回だけ設定する。【０２２５】
そして、１つの送信電力増加要求４０から次の送信電力増加要求４０までの４９個の下り信号のＤＰＣＣＨには現状維持要求４１が設定される。【０２２６】
そして、この第３実施形態による送信電力制御装置のブロックサイズ抽出部２５ａは、１個の送信電力増加要求４０と４９個の現状維持要求４１に対する１０ｍｓ周期で移動通信端末１１から送信されてくる５０個の上り信号のＥ−ＤＰＣＣＨにおけるＥ−ＴＦＣＩをブロックサイズ情報Ｄ１−Ｄ５０として抽出する。【０２２７】
そして、第３実施形態による送信電力制御装置のブロックサイズ抽出部２５ａは、この抽出した５０個のブロックサイズ情報Ｄ１−Ｄ５０から、１つの送信電力増加要求４０に対応する１個のブロックサイズ情報を決定して、ブロックサイズメモリ２６へ書込む。【０２２８】
この抽出した５０個のブロックサイズ情報Ｄ１−Ｄ５０から、１つの送信電力増加要求４０に対応する１個のブロックサイズ情報を決定するブロックサイズ抽出部２５ａの処理は、図１０のフローチャートにおけるステップＳ６で実施される。【０２２９】
この第３実施形態による送信電力制御装置におけるステップＳ６の詳細処理動作を図１６のフローチャートを用いて説明する。【０２３０】
まず、ステップＳ５での送信電力増加信号（要求）の送信に続いて、送信電力増加部２３ａは、送信部１８を介して、移動通信端末１１に対し、１０ｍｓ毎に４９回、現状維持信号（要求）を送出する（ステップＳ６ａ）。【０２３１】
次に、受信部５０ａがステップＳ５、Ｓ６ａに対応した複数の物理チャネルを５０回受信すると、ブロックサイズ抽出部２５ａは、５０個のブロックサイズ情報Ｄ１−Ｄ５０を抽出する（ステップＳ６ｂ）。【０２３２】
この５０個のブロックサイズ情報Ｄ１−Ｄ５０は、この条件下において、図１７に示すようにデジタルの２値のいずれかの値を取るので、予備抽出部５０ｂは、そのうち小さい値を第１の基準値ＤＳ１として抽出すると共に、最大値を第２の基準値ＤＳ２として抽出する（ステップＳ６ｃ）。【０２３３】
次に、比率算出部５０ｃは、第１の基準値ＤＳ１のブロックサイズ情報の数ＢＳ１を計数する（ステップＳ６ｄ）と共に、第１の基準値ＤＳ１のブロックサイズ情報の数ＢＳ１の全ブロックサイズの数ＢＡＬに対する比率（ＢＳ１／ＢＡＬ）を算出する（ステップＳ６ｅ）。【０２３４】
次に、決定部５０ｄは、この比率（ＢＳ１／ＢＡＬ）が予め定められた第１のしきい値ＴＨ１より大きい場合（ステップＳ６ｆ−ＹＥＳ）、第１の基準値ＤＳ１を今回の１つの送信電力増加信号（増加要求４０）に対応する１個のブロックサイズ情報と決定して（ステップＳ６ｇ）、それをブロックサイズメモリ２６へ書込む（ステップＳ７）。【０２３５】
一方、この比率（ＢＳ１／ＢＡＬ）が予め定められた第１のしきい値ＴＨ１以下の場合（Ｓ６ｆ−ＮＯ）、決定部５０ｄは、第２の基準値ＤＳ２を今回の１つの送信電力増加信号（増加要求４０）に対応する１個のブロックサイズ情報と決定して（ステップＳ６ｈ）、それをブロックサイズメモリ２６へ書込む（ステップＳ７）。【０２３６】
さらに、この第３実施形態による送信電力制御装置においては、図１０のフローチャートにおけるステップＳ８において、最大出力電力状態決定部２７は、今回抽出したブロックサイズ情報の値が前回抽出したブロックサイズ情報の値と比較して予め定められた第２のしきい値よりも大きく減少しない場合（ステップＳ８−ＮＯに相当）には、ステップＳ５に戻り、移動通信端末１１に対し、送信電力増加信号（図１７のタイミングチャートにおける増加要求４０）を１単位送信する。【０２３７】
また、最大出力電力状態決定部２７は、今回抽出したブロックサイズ情報の値が前回抽出したブロックサイズ情報の値と比較して、予め定められた第２のしきい値よりも大きく減少した場合（ステップＳ８−ＹＥＳに相当）には、移動通信端末１１に対し、送信電力減少信号（図１７のタイミングチャートにおける減少要求４２）を１単位送信する（ステップＳ９）。【０２３８】
なお、ステップＳ８において、今回抽出したブロックサイズ情報の値が前回抽出したブロックサイズ情報と比較して予め定められた第２のしきい値よりも大きく減少しない場合（ステップＳ８−ＮＯに相当）には、前回抽出したブロックサイズ情報の値を次の比較に用いるようにしてもよい。この場合、比較対象のブロックサイズ情報の値が変化しないという長所もある。【０２３９】
このように構成された第３実施形態による移動通信端末の送信電力制御装置においては、図１７に示すように、移動通信端末１１へ一つの送信電力増加要求４０を送出してから次の送信電力増加要求４０を送出するまでの５００ｍｓの間に、例えば、５０個のブロックサイズ情報Ｄ１−Ｄ５０を抽出して、この５０個のブロックサイズ情報Ｄ１−Ｄ５０から、前記一つの送信電力増加要求４０に対応するブロックサイズ情報を決定しているので、例えば、雑音等で生じたデータ誤り等の要因による、誤ったＥ−ＴＦＣＩ４３に基づいて最大出力電力状態を検出してしまうことが防止される。【０２４０】
さらに、移動通信端末１１は、送信電力増加要求４０を受信してから送信電力値（ブロックサイズ）が決定するまでに過渡的状態となる場合があり、この場合でも、複数回受信したブロックサイズ情報から、前述の処理による１つのブロックサイズ情報を決定するので信頼性がより一層向上する。【０２４１】
なお、本発明はこの第３実施形態に限定されるものではない。第３実施形態においては、５０個のブロックサイズ情報Ｄ１−Ｄ５０はこの条件下においては、デジタルの２値のいずれかの値を取るとしたが、２値の小さい値、大きい値のそれぞれの近傍で、後述するように値が変動することも考えられる。【０２４２】
そこで、図１６のフローチャートにおけるステップＳ６ｃ、Ｓ６ｄの処理を以下のように変更することも可能である。【０２４３】
まず、ステップＳ６ｃにおいて、予備抽出部５０ｂは、５０個のブロックサイズ情報Ｄ１−Ｄ５０における最小値を第１の基準値ＤＳ１として抽出すると共に、最大値を第２の基準値ＤＳ２として抽出する。【０２４４】
次に、比率算出部５０ｃは、第１の基準値ＤＳ１に等しい値および該第１の基準値ＤＳ１に対して予め定めた数値幅以内の値であるブロックサイズ情報の数ＢＳ１を計数する（ステップＳ６ｄ）と共に、第１の基準値ＤＳ１のブロックサイズ情報の数ＢＳ１の全ブロックサイズ情報の数ＢＡＬに対する比率（ＢＳ１／ＢＡＬ）を算出する（ステップＳ６ｅ）。【０２４５】
このように構成することにより、ブロックサイズ情報Ｄ１−Ｄ５０が後述するように１ポイント（単位）変動するような場合においても、十分対応することができる。【０２４６】
なお、上記第３実施形態において、ブロックサイズ抽出部２５ａ内の受信部５０ａに代えて図２の受信部１９を用いるようにしてもよい。【０２４７】
（第４実施形態）
本発明の第４実施形態による移動通信端末の送信電力制御方法を遂行する送信電力制御装置を、図２１、図１８、及び図１９を用いて説明する。【０２４８】
図２１は、本発明が適用される第４実施形態による移動通信端末の送信電力制御方法を遂行する送信電力制御装置の主要部（ブロックサイズ抽出部２５ａ）の構成を説明するために示すブロック図である。【０２４９】
図１８は、本発明が適用される第４実施形態による移動通信端末の送信電力制御方法を遂行する送信電力制御装置における主要部の動作を説明するために示すフローチャートである。【０２５０】
図１９は、本発明が適用される第４実施形態による移動通信端末の送信電力制御方法を遂行する送信電力制御装置における主要部の動作を説明するために示すタイミングチャートである。【０２５１】
この第４実施形態による移動通信端末の送信電力制御装置は、図１２に示す第２実施形態による移動通信端末の送信電力制御装置３６とほぼ同一構成を有しており、送信電力減少部２３ｂ、ブロックサイズ抽出部２５ｂ及び最大出力電力状態決定部２７ｂが異なるのみである。【０２５２】
したがって、以下では、第２実施形態の送信電力制御装置３６と異なる部分のみを説明する。【０２５３】
この第４実施形態による送信電力制御装置３６におけるブロックサイズ抽出部２５ｂは、図２１に示すように、受信部５１ａ、予備抽出部５１ｂ、比率算出部５１ｃ、及び決定部５１ｄで構成されている。【０２５４】
前述した第２実施形態による送信電力制御装置３６においては、図１３に示すフローチャートにおけるステップＱ４において、移動通信端末１１を「過大調整状態」である最大送信電力状態になるように移動通信端末１１の送信電力を調整した後、移動通信端末１１に対し、下り信号のＤＰＣＣＨを用いて、送信電力減少信号を１０ｍｓ周期で送信して、移動通信端末１１の送信に対応した一つのＥ−ＤＰＤＣＨに対するＥ−ＤＰＣＣＨからＥ−ＤＰＤＣＨのブロックサイズ情報を抽出して、この抽出したブロックサイズ情報を送信電力減少信号に対応するブロックサイズ情報として記憶するようにしている。【０２５５】
これに対して、この第４実施形態による送信電力制御装置３６においては、図１９のタイミングチャートに示すように、送信電力制御装置３６から移動通信端末１１へ１０ｍｓ周期で送信する下り信号のＤＰＣＣＨに、毎回、送信電力減少要求４２を設定するのではなく、例えば、５０回（５００ｍｓ）に１回だけ設定する。【０２５６】
そして、１つの送信電力減少要求４２から次の送信電力減少要求４２までの４９個の下り信号のＤＰＣＣＨには現状維持要求４１が設定される。【０２５７】
そして、この第４実施形態による送信電力制御装置３６のブロックサイズ抽出部２５ｂは、１個の送信電力減少要求４２と４９個の現状維持要求４１に対する１０ｍｓ周期で移動通信端末１１から送信されてくる５０個の上り信号のＥ−ＤＰＣＣＨにおけるＴＦＣＩからＥ−ＤＰＤＣＨのブロックサイズ情報Ｄ１−Ｄ５０を抽出する。【０２５８】
そして、第４実施形態による送信電力制御装置３６のブロックサイズ抽出部２５ｂは、この抽出した５０個のブロックサイズ情報Ｄ１−Ｄ５０から、１つの送信電力増加要求４０に対応する１個のブロックサイズ情報を決定して、それをブロックサイズメモリ２６へ書込む。【０２５９】
この抽出した５０個のブロックサイズ情報Ｄ１−Ｄ５０から、１つの送信電力減少要求４２に対応する１個のブロックサイズ情報を決定するブロックサイズ抽出部２５ｂの処理は、図１３のフローチャートにおけるステップＱ６で実施される。【０２６０】
この第４実施形態装置におけるステップＱ６の詳細処理動作を図１８のフローチャートを用いて説明する。【０２６１】
まず、ステップＱ５での送信電力減少信号（要求）の送信に続いて、送信電力減少部２ｂは、送信部１８を介して、移動通信端末１１に対し、１０ｍｓ毎に４９回、現状維持信号（要求）を送出する（ステップＱ６ａ）。【０２６２】
受信部５１ａによりステップＱ５、Ｑ６ａに対応した複数の物理チャネルが５０回受信されると、予備抽出部５１ｂは、５０個のブロックサイズ情報Ｄ１−Ｄ５０を抽出する（ステップＱ６ｂ）。【０２６３】
この５０個のブロックサイズ情報Ｄ１−Ｄ５０は、次の送信電力減少信号（要求）が入力されるまでは、図１９に示すようにデジタルの２値のいずれかの値を取るので、予備抽出部５１ｂは、そのうち小さい値を第１の基準値ＤＳ１として抽出すると共に、大きい値を第２の基準値ＤＳ２として抽出する（ステップＱ６ｃ）。【０２６４】
次に、比率算出部５１ｃは、第２の基準値ＤＳ２のブロックサイズ情報の数ＢＳ２を計数する（ステップＱ６ｄ）と共に、第２の基準値ＤＳ２のブロックサイズ情報の数ＢＳ２の全ブロックサイズ情報の数ＢＡＬに対する比率（ＢＳ２／ＢＡＬ）を算出する（ステップＱ６ｅ）。【０２６５】
次に、決定部５１ｄは、この比率（ＢＳ２／ＢＡＬ）が予め定められた第１のしきい値ＴＨ１より大きい場合（ステップＳ６ｆ−ＹＥＳ）、第２の基準値ＤＳ２を今回の１つの送信電力減少信号（減少要求４２）に対応する１個のブロックサイズ情報と決定して（ステップＱ６ｇ）、それをブロックサイズメモリ２６へ書込む（ステップＱ７）。【０２６６】
一方、決定部５１ｄは、この比率（ＢＳ２／ＢＡＬ）が予め定められた第１のしきい値ＴＨ１以下の場合（ステップＳ６ｆ−ＮＯ）、第１の基準値ＤＳ１を今回の１つの送信電力減少信号（減少要求４２）に対応する１個のブロックサイズ情報と決定して（ステップＳ６ｈ）、それをブロックサイズメモリ２６へ書込む（ステップＱ７）。【０２６７】
さらに、この第４実施形態による移動通信端末送信の電力制御装置３６においては、図１４のフローチャートにおけるステップＱ８において、最大出力電力状態決定部２７は、ブロックサイズ抽出部２５によって今回抽出されたブロックサイズ情報の値が予め設定された設定値を越えたか否かを判定すると共に、この判定結果が今回抽出されたブロックサイズ情報の値が予め設定された設定値を越えない場合（ステップＱ８−ＮＯ）には、ステップＱ５に戻り、移動通信端末１１に対し、送信電力減少部２３ａ及び送信部１８を介して、送信電力減少信号を１単位送信する。【０２６８】
次に、最大出力電力状態決定部２７は、先の判定結果が今回抽出されたブロックサイズ情報の値が予め設定された設定値を越えた場合（ステップＱ８−ＹＥＳ）に、今回抽出されたブロックサイズ情報の値と前回抽出したブロックサイズ情報の値とを比較（ステップＱ９）し、この比較結果が今回抽出されたブロックサイズ情報の値と前回抽出したブロックサイズ情報の値と等しくない場合（ステップＱ９−ＮＯ）には、ステップＱ５に戻り、移動通信端末１１に対し、送信電力減少部２３ａ及び送信部１８を介して、送信電力減少信号（図１９のタイミングチャートにおける減少要求４２）を１単位送信する。【０２６９】
次に、最大出力電力状態決定部２７は、先の比較結果が今回抽出されたブロックサイズ情報の値と前回抽出したブロックサイズ情報の値と等しくなった場合（ステップＱ９−ＹＥＳ）には、前記送信電力減少段階（Ｑ５）での前記送信電力減少要求の送信を停止させると共に、移動通信端末１１に対し、送信電力減少部２３ａ及び送信部１８を介して送信電力増加信号（図１９のタイミングチャートにおける増加要求４０）を１単位送信する（ステップＱ１０）。【０２７０】
さらに、この第４実施形態による移動通信端末送信の電力制御装置３６においては、図１４のフローチャートにおけるステップＱ９において、今回抽出されたブロックサイズ情報の値と前回抽出したブロックサイズ情報の値との差が予め定められた第２のしきい値より大きい場合には、ステップＱ５に戻り、移動通信端末１１に対し、送信電力減少部２３ａ及び送信部１８を介して、送信電力減少信号（図１９のタイミングチャートにおける減少要求４２）を１単位送信する。【０２７１】
このように構成された第４実施形態による移動通信端末の送信電力制御装置においては、図１９に示すように、移動通信端末１１へ一つの送信電力減少要求４２を送出してから次の送信電力減少要求４２を送出するまでの５００ｍｓの間に、例えば、５０個のブロックサイズ情報Ｄ１−Ｄ５０を抽出して、この５０個のブロックサイズ情報Ｄ１−Ｄ５０から、前記一つの送信電力減少要求４２に対応するブロックサイズ情報を決定しているので、例えば、雑音によるデータ誤り等の要因による、誤ったＥ−ＴＦＣＩ４３に基づいて最大出力電力状態を検出してしまうことが防止される。【０２７２】
さらに、移動通信端末１１は、送信電力減少要求４２を受信してから送信電力値（ブロックサイズ）が決定するまでに過渡的状態となる場合があり、この場合でも、複数回受信したブロックサイズ情報から、前述の処理による１つのブロックサイズ情報を決定するので信頼性がより一層向上する。【０２７３】
なお、本発明はこの第４実施形態に限定されるものではない。第４実施形態においては、５０個のブロックサイズ情報Ｄ１−Ｄ５０はこの条件下においては、デジタルの２値のいずれかの値を取るとしたが、２値の小さい値、大きい値のそれぞれの近傍で、後述するように値が変動することも考えられる。【０２７４】
そこで、図１８のフローチャートにおけるステップＱ６ｃ、Ｑ６ｄの処理を以下のように変更することも可能である。【０２７５】
ステップＱ６ｃにおいて、予備抽出部５１ｂは、５０個のブロックサイズ情報Ｄ１−Ｄ５０における最小値を第１の基準値ＤＳ１とすると共に、最大値を第２の基準値ＤＳ２として抽出する。【０２７６】
そして、比率算出部５１ｃは、第２の基準値ＤＳ２に等しい値及び該第２の基準値ＤＳ２に対して予め定めた数値幅以内の値であるブロックサイズ情報の数ＢＳ２を計数する
（ステップＱ６ｄ）と共に、第２の基準値ＤＳ２のブロックサイズ情報の数ＢＳ２の全ブロックサイズ情報の数ＢＡＬに対する比率（ＢＳ２／ＢＡＬ）を算出する（ステップＱ６ｅ）。【０２７７】
このように構成することにより、ブロックサイズ情報Ｄ１−Ｄ５０が後述するように１ポイント変動するような場合においても、十分対応することができる。【０２７８】
なお、上記第４実施形態において、ブロックサイズ抽出部２５ｂ内の受信部５１ａに代えて図１２の受信部１９を用いるようにしてもよい。【０２７９】
次に、図２２、図２３、図２４を用いて、移動通信端末１１から疑似基地局装置１２（送信電力制御装置１７）へ送信する上り信号に含まれる制御チャネルＥ−ＤＰＣＣＨのＥ−ＴＦＣＩの番号（ブロックサイズ情報）が変動する理由を説明する。【０２８０】
図２２に示すように、移動通信端末１１は、送信すべき送信データ４４を、規格で選択可能なビット長Ａ（この実施形態では３３６bit ）を有するデータユニット４５に分割する。【０２８１】
したがって、データユニットには、３３６bit 長を有する完全なデータユニット４５と、３３６bit 長に満たないデータ長Ｂのデータユニット４５とが存在する。【０２８２】
このため、送信すべき送信データのデータ長は、ｎを整数とすると、（ｎＡ＋Ｂ）となる。【０２８３】
移動通信端末１１は、１個または複数個のデータユニット４５を一つのブロック４６として、上り信号のデータチャネルＥ−ＤＰＤＣＨへ組込む。【０２８４】
この一つのブロック４６のビット長（ブロックサイズ）に対応するコードが、制御チャネルＥ−ＤＰＣＣＨのＥ−ＴＦＣＩに組込まれる。【０２８５】
一方、図２３のテーブルに示すように、疑似基地局装置１２（送信電力制御装置１７）の下り信号の制御チャネルＥ−ＡＧＣＨで指定されるＥ−ＤＰＤＣＨの各最大送信電力の電力比（βed／βc ）に対して、このデータブロック送信に必要な最小電力比を示す必要電力比（テーブル中のβed／βc ）を越えない範囲で、不連続な複数のブロックサイズ４８が設定されている。【０２８６】
また、各ブロックサイズ４８に対して、それぞれ、Ｅ−ＴＦＣＩコード４７が設定されている。【０２８７】
さらに、各ブロックサイズ４８に対して、当該ブロックサイズ４８に含まれるデータユニット数が設定される。【０２８８】
例えば、最大電力比（βed／βc ）＝２１／１５が与えられている場合には、１２６４までのブロックサイズ４８と、５９までのＥ−ＴＦＣＩコード４７、３までのデータユニット数を選択することができる。【０２８９】
移動通信端末１１は、この選択可能なブロックサイズ４８から任意のブロックサイズ４８を選択可能であり、伝送効率を考慮して、移動通信端末１１に設定された最大のデータユニット数が得られる最小のブロックサイズ４８を選択する。【０２９０】
したがって、この実施形態においては、矢印で示す１０３２のブロックサイズ４８（Ｅ−ＴＦＣＩコード４７＝５４、データユニット数＝３）が選択される。【０２９１】
同様に、最大電力比（βed／βc ）の違いにより、移動通信端末１１が採用する各ブロックサイズ４８（Ｅ−ＴＦＣＩコード４７、データユニット数）を矢印で示す。【０２９２】
ここで、送信電力を１単位増加させ、最大電力状態となった場合には、移動通信端末１１は、設定された最大電力比によるＥ−ＤＰＤＣＨの電力を出力できず、電力比を下げて対応する。【０２９３】
前述の例によれば、βed／βc ＝２１／１５を取り得なく、最大のデータユニット数が得られる最小のデータブロックサイズ４８を選択するため、選択される電力比は、テーブル中の１７／１５となり、Ｅ−ＴＦＣＩコード４７は４５になる。【０２９４】
移動通信端末１１は、図５に示すテーブル３９を基地局（送信電力制御装置１７）から受け、これを元にデータブロックサイズ４８に比例するように全てのＥ−ＴＦＣＩコード（番号）４７に対してのβed／βc 値を補間して算出する（図２４の（ａ））。【０２９５】
このとき、各Ｅ−ＴＦＣＩコード（番号）４７に対するβed／βc 値は、図２４の（ａ）のQuantized Aed 値に示す規格で定まる値を越えないように対応付けるが、Quantized Aed 値は無理数となる場合があり、丸め込み誤差などにより、Ｅ−ＴＦＣＩコード（番号）４７との対応付けが１レベル異なる場合がある。【０２９６】
すなわち、各Ｅ−ＴＦＣＩコード（番号）４７と最大電力比( βed／βc)の値の組合せが変わることがある。【０２９７】
したがって、図２３のテーブルにおける( βed／βc)値の変化点が異なるテーブルとなる場合がある。【０２９８】
このテーブルに基づいてＥ−ＴＦＣＩコード（番号）４７が決定されるため、移動通信端末１１が取り得るＥ−ＴＦＣＩコード（番号）４７も変化する場合がある。【０２９９】
ただし、この変化は、前述した丸め込み時の誤差によるため、Ｅ−ＴＦＣＩコード（番号）４７の変化は１単位だけとなる。【０３００】
また、移動通信端末１１の状況を基地局（送信電力制御装置１７）に伝えるために規格で定義されたＳＩ（Scheduling Information）の付加情報をデータユニット４５に組み込む場合などにも、ブロックサイズが増大するためＥ−ＴＦＣＩコード（番号）４７が１単位変動する場合などもある。【０３０１】
このようなＥ−ＤＰＣＣＨのＥ−ＴＦＣＩコード（番号）４７が１単位変動する現象と、最大送信電力状態への制御におけるＥ−ＴＦＣＩコード（番号）４７の変化とは異なるために、それぞれについて切り分けて対処することができるようにする必要がある。【０３０２】
以上、詳述したように、本発明によれば、従来技術による問題を解決し、移動通信端末において各物理チャネル間の送信電力比が規定された状態で、該移動通信端末に設定された最大出力電力の状態を短時間で、かつ正確に測定することができる移動通信端末の送信電力制御方法及び移動通信端末の送信電力制御装置を提供することが可能となる。
【図１】
2008053845.tif 000003
【図２】
2008053845.tif 000004
【図３】
2008053845.tif 000005
【図４】
2008053845.tif 000006
【図５】
2008053845.tif 000007
【図６】
2008053845.tif 000008
【図７】
2008053845.tif 000009
【図８】
2008053845.tif 000010
【図９】
2008053845.tif 000011
【図１０】
2008053845.tif 000012
【図１１】
2008053845.tif 000013
【図１２】
2008053845.tif 000014
【図１３】
2008053845.tif 000015
【図１４】
2008053845.tif 000016
【図１５】
2008053845.tif 000017
【図１６】
2008053845.tif 000018
【図１７】
2008053845.tif 000019
【図１８】
2008053845.tif 000020
【図１９】
2008053845.tif 000021
【図２０】
2008053845.tif 000022
【図２１】
2008053845.tif 000023
【図２２】
2008053845.tif 000024
【図２３】
2008053845.tif 000025
【図２４】
2008053845.tif 000026
【図２５】
2008053845.tif 000027
【図２６】
2008053845.tif 000028
【図２７】
2008053845.tif 000029
【図２８】
2008053845.tif 000030
【国際調査報告】
2008053845.tif 000031
2008053845.tif 000032
2008053845.tif 000033
2008053845.tif 000034